(57)【特許請求の範囲】
【請求項１】
サブバンドリソースを決定するための装置であって、前記装置は、ユーザ機器UEに適用され、前記サブバンドリソースは、サブバンドにおけるリソースであり、前記サブバンドは、帯域幅内にあり動作帯域幅を有する周波数リソースであり、前記帯域幅は、下りリンク帯域幅または上りリンク帯域幅であり、前記動作帯域幅は、前記帯域幅未満であり、前記装置は、
サブバンドリソース情報を取得し、前記サブバンドリソース情報を決定モジュールに提供するように構成される取得モジュールであって、前記サブバンドリソース情報がサブバンドリソースを決定するための情報を含む、取得モジュールと、
前記サブバンドリソース情報に従って、前記サブバンドリソースを決定し、前記サブバンドリソースを伝送モジュールに提供するように構成される前記決定モジュールと、
前記サブバンドリソースに従って、データおよび／または制御情報を送信するように構成される前記伝送モジュールと、を含み、
前記サブバンドリソース情報がサブバンド決定方式とサブバンドインデックスとを含み、前記サブバンド決定方式は、前記帯域幅における前記サブバンドの形成方式を指定し、前記サブバンドインデックスは、前記帯域幅における前記サブバンドの番号である、
サブバンドリソースを決定するための装置。
【請求項２】
前記装置は番号付与モジュールをさらに含み、
前記番号付与モジュールは、キャリアの中心サブキャリアの一方の側から開始して、サブバンドに番号付与し、前記キャリアの前記中心サブキャリアの前記側にある利用可能なサブバンドへの前記番号付与が完了した後、前記キャリアの前記中心サブキャリアの他方の側からサブバンドに番号付与するように構成される、または
前記番号付与モジュールは、キャリアの中心サブキャリアの両方の側にあるすべての利用可能なサブバンドへの番号付与が完了するまで、前記キャリアの前記中心サブキャリアの一方の側から開始して、サブバンドに番号付与し、1つのサブバンドへの番号付与が完了した後、前記キャリアの前記中心サブキャリアの他方の側からサブバンドに番号付与し、1つのサブバンドへの番号付与が完了した後、前記キャリアの前記中心サブキャリアの前記側に戻り、前記側の残りのサブバンドに番号付与し、1つのサブバンドへの番号付与が完了した後、前記キャリアの前記中心サブキャリアの他方の側に戻り、他方の側の残りのサブバンドに番号付与するようにさらに構成される、請求項1に記載の装置。
【請求項３】
前記サブバンドリソース情報は、第4のオフセットパラメータおよび／または第5のオフセットパラメータをさらに含み、前記第4のオフセットパラメータは、前記サブバンドと前記キャリアの前記中心サブキャリアとの間のオフセットを決定するために使用され、前記第5のオフセットパラメータは、前記サブバンドと前記キャリアにおける右端または左端のリソースブロックとの間の前記オフセットを決定するために使用され、
前記決定モジュールは、前記サブバンド決定方式と前記サブバンドインデックスと前記第4のオフセットパラメータとに従って前記サブバンドリソースを決定する、または前記サブバンド決定方式と前記サブバンドインデックスと前記第5のオフセットパラメータとに従って前記サブバンドリソースを決定する、または前記サブバンド決定方式と前記サブバンドインデックスと前記第4のオフセットパラメータと前記第5のオフセットパラメータとに従って前記サブバンドリソースを決定するようにさらに構成される、請求項2に記載の装置。
【請求項４】
前記決定モジュールは、前記サブバンドインデックスが第1の閾値よりも大きいおよび／または等しい場合、前記サブバンドリソース情報と第6のオフセットパラメータとに従って前記サブバンドリソースを決定し、前記サブバンドリソース情報は、前記第6のオフセットパラメータをさらに含み、前記第6のオフセットパラメータは、前記キャリアの前記中心サブキャリアを決定するために使用される、または前記サブバンドインデックスが第1の閾値未満である場合、前記サブバンドリソース情報と第6のオフセットパラメータとに従って前記サブバンドリソースを決定する、または前記サブバンドインデックスが偶数である場合、前記サブバンドリソース情報と第6のオフセットパラメータとに従って前記サブバンドリソースを決定する、または前記サブバンドインデックスが奇数である場合、前記サブバンドリソース情報と第6のオフセットパラメータとに従って前記サブバンドリソースを決定するようにさらに構成される、請求項3に記載の装置。
【請求項５】
前記取得モジュールは、受信ユニットと決定ユニットとを含み、
前記受信ユニットは、基地局が送信した第2のシグナリングを受信し、前記第2のシグナリングから前記サブバンドリソース情報を取得するように構成され、
前記決定ユニットは、予め指定された方式で前記サブバンドリソース情報を決定するように構成される、請求項1から4のいずれか一項に記載の装置。
【請求項６】
サブバンドリソースを決定するための装置であって、前記装置は、基地局に適用され、前記サブバンドリソースは、サブバンドにおけるリソースであり、前記サブバンドは、帯域幅内にあり動作帯域幅を有する周波数リソースであり、前記帯域幅は、下りリンク帯域幅または上りリンク帯域幅であり、前記動作帯域幅は、前記帯域幅未満であり、前記装置は、
サブバンドリソース情報を取得し、前記サブバンドリソース情報を決定モジュールに提供するように構成される取得モジュールであって、前記サブバンドリソース情報がサブバンドリソースを決定するための情報を含む、取得モジュールと、
前記サブバンドリソース情報に従って、前記サブバンドリソースを決定し、前記サブバンドリソースを伝送モジュールに提供するように構成される前記決定モジュールと、
前記サブバンドリソースに従って、データおよび／または制御情報を送信するように構成される前記伝送モジュールと、を含み、
前記サブバンドリソース情報がサブバンド決定方式とサブバンドインデックスとを含み、前記サブバンド決定方式は、前記帯域幅における前記サブバンドの形成方式を指定し、前記サブバンドインデックスは、前記帯域幅における前記サブバンドの番号である、
サブバンドリソースを決定するための装置。
【請求項７】
前記装置は番号付与モジュールをさらに含み、
前記番号付与モジュールは、キャリアの中心サブキャリアの一方の側から開始して、サブバンドに番号付与し、前記キャリアの前記中心サブキャリアの前記側にあるすべてのサブバンドへの前記番号付与が完了した後、前記キャリアの前記中心サブキャリアの他方の側からサブバンドに番号付与するようにさらに構成される、または
キャリアの中心サブキャリアの両方の側にあるすべてのサブバンドへの番号付与が完了するまで、前記キャリアの前記中心サブキャリアの一方の側から開始して、サブバンドに番号付与し、1つのサブバンドへの番号付与が完了した後、前記キャリアの前記中心サブキャリアの他方の側からサブバンドに番号付与し、1つのサブバンドへの番号付与が完了した後、前記キャリアの前記中心サブキャリアの前記側に戻り、前記側の残りのサブバンドに番号付与し、1つのサブバンドへの番号付与が完了した後、前記キャリアの前記中心サブキャリアの他方の側に戻り、他方の側の残りのサブバンドに番号付与するようにさらに構成される、請求項6に記載の装置。
【請求項８】
前記サブバンドリソース情報は、第4のオフセットパラメータおよび／または第5のオフセットパラメータをさらに含み、前記第4のオフセットパラメータは、前記サブバンドと前記キャリアの前記中心サブキャリアとの間のオフセットを決定するために使用され、前記第5のオフセットパラメータは、前記サブバンドと前記キャリアにおける右端または左端のリソースブロックとの間の前記オフセットを決定するために使用され、
前記決定モジュールは、前記サブバンド決定方式と前記サブバンドインデックスと前記第4のオフセットパラメータとに従って前記サブバンドリソースを決定する、または前記サブバンド決定方式と前記サブバンドインデックスと前記第5のオフセットパラメータとに従って前記サブバンドリソースを決定する、または前記サブバンド決定方式と前記サブバンドインデックスと前記第4のオフセットパラメータと前記第5のオフセットパラメータとに従って前記サブバンドリソースを決定するようにさらに構成される、請求項7に記載の装置。
【請求項９】
前記決定モジュールは、前記サブバンドインデックスが第1の閾値よりも大きいおよび／または等しい場合、前記サブバンドリソース情報と第6のオフセットパラメータとに従って前記サブバンドリソースを決定し、前記サブバンドリソース情報は、前記第6のオフセットパラメータをさらに含み、前記第6のオフセットパラメータは、前記キャリアの前記中心サブキャリアを決定するために使用される、または前記サブバンドインデックスが第1の閾値未満である場合、前記サブバンドリソース情報と第6のオフセットパラメータとに従って前記サブバンドリソースを決定する、または前記サブバンドインデックスが偶数である場合、前記サブバンドリソース情報と第6のオフセットパラメータとに従って前記サブバンドリソースを決定する、または前記サブバンドインデックスが奇数である場合、前記サブバンドリソース情報と第6のオフセットパラメータとに従って前記サブバンドリソースを決定するようにさらに構成される、請求項8に記載の装置。
【請求項１０】
前記取得モジュールは、生成ユニット、決定ユニットおよび送信モジュールを含み、
前記生成ユニットは、前記サブバンドリソース情報を生成するように構成され、
前記決定ユニットは、予め指定された方式で前記サブバンドリソース情報を決定するように構成され、
前記送信モジュールは、前記サブバンドリソース情報を運ぶ第2のシグナリングをユーザ機器UEに送信するようにさらに構成される、請求項6から9のいずれか一項に記載の装置。
【請求項１１】
サブバンドリソースを決定するための装置であって、前記装置は、ユーザ機器UEに適用され、前記サブバンドリソースは、サブバンドにおけるリソースであり、前記サブバンドは、帯域幅内にあり、動作帯域幅を有する、周波数リソースであり、前記帯域幅は、下りリンク帯域幅または上りリンク帯域幅であり、前記動作帯域幅は、前記帯域幅未満であり、前記装置が、
プログラム命令を含む情報を記憶するように構成されるメモリと、
前記メモリと送受信機とに接続され、前記プログラム命令の実行を制御するように構成され、サブバンドリソース情報を取得し、前記サブバンドリソース情報がサブバンドリソースを決定するための情報を含み、前記サブバンドリソース情報に従って前記サブバンドリソースを決定するように特に構成されるプロセッサと、
前記サブバンドリソースに従って、データおよび／または制御情報を送信するように構成される前記送受信機と、を含み、
前記サブバンドリソース情報がサブバンド決定方式とサブバンドインデックスとを含み、前記サブバンド決定方式は、前記帯域幅における前記サブバンドの形成方式を指定し、前記サブバンドインデックスは、前記帯域幅における前記サブバンドの番号である、
サブバンドリソースを決定するための装置。
【請求項１２】
前記プロセッサは、キャリアの中心サブキャリアの一方の側から開始して、サブバンドに番号付与し、前記キャリアの前記中心サブキャリアの前記側にある利用可能なサブバンドへの前記番号付与が完了した後、前記キャリアの前記中心サブキャリアの他方の側からサブバンドに番号付与するようにさらに構成される、または、キャリアの中心サブキャリアの両方の側にあるすべての利用可能なサブバンドへの番号付与が完了するまで、前記キャリアの前記中心サブキャリアの一方の側から開始して、サブバンドに番号付与し、1つのサブバンドへの番号付与が完了した後、前記キャリアの前記中心サブキャリアの他方の側からサブバンドに番号付与し、1つのサブバンドへの番号付与が完了した後、前記キャリアの前記中心サブキャリアの前記側に戻り、前記側の残りのサブバンドに番号付与し、1つのサブバンドへの番号付与が完了した後、前記キャリアの前記中心サブキャリアの他方の側に戻り、他方の側の残りのサブバンドに番号付与するようにさらに構成される、請求項11に記載の装置。
【請求項１３】
前記サブバンドリソース情報は、第4のオフセットパラメータおよび／または第5のオフセットパラメータをさらに含み、前記第4のオフセットパラメータは、前記サブバンドと前記キャリアの前記中心サブキャリアとの間のオフセットを決定するために使用され、前記第5のオフセットパラメータは、前記サブバンドと前記キャリアにおける右端または左端のリソースブロックとの間の前記オフセットを決定するために使用され、
前記プロセッサは、前記サブバンド決定方式と前記サブバンドインデックスと前記第4のオフセットパラメータとに従って前記サブバンドリソースを決定する、または前記サブバンド決定方式と前記サブバンドインデックスと前記第5のオフセットパラメータとに従って前記サブバンドリソースを決定する、または前記サブバンド決定方式と前記サブバンドインデックスと前記第4のオフセットパラメータと前記第5のオフセットパラメータとに従って前記サブバンドリソースを決定するようにさらに構成される、請求項12に記載の装置。
【請求項１４】
前記プロセッサは、前記サブバンドインデックスが第1の閾値よりも大きいおよび／または等しい場合、前記サブバンドリソース情報と第6のオフセットパラメータとに従って前記サブバンドリソースを決定し、前記サブバンドリソース情報は、前記第6のオフセットパラメータをさらに含み、前記第6のオフセットパラメータは、前記キャリアの前記中心サブキャリアを決定するために使用される、または前記サブバンドインデックスが第1の閾値未満である場合、前記サブバンドリソース情報と第6のオフセットパラメータとに従って前記サブバンドリソースを決定する、または前記サブバンドインデックスが偶数である場合、前記サブバンドリソース情報と第6のオフセットパラメータとに従って前記サブバンドリソースを決定する、または前記サブバンドインデックスが奇数である場合、前記サブバンドリソース情報と第6のオフセットパラメータとに従って前記サブバンドリソースを決定するようにさらに構成される、請求項13に記載の装置。
【請求項１５】
前記送受信機は、基地局が送信した第2のシグナリングを受信し、前記第2のシグナリングから前記サブバンドリソース情報を取得するようにさらに構成され、
前記プロセッサは、予め指定された方式で前記サブバンドリソース情報を決定するように構成される、請求項11から14のいずれか一項に記載の装置。
【請求項１６】
サブバンドリソースを決定するための装置であって、前記装置は、基地局に適用され、前記サブバンドリソースは、サブバンドにおけるリソースであり、前記サブバンドは、帯域幅内にあり、動作帯域幅を有する、周波数リソースであり、前記帯域幅は、下りリンク帯域幅または上りリンク帯域幅であり、前記動作帯域幅は、帯域幅未満であり、前記装置が、
プログラム命令を含む情報を記憶するように構成されるメモリと、
前記メモリと送受信機とに接続され、前記プログラム命令の実行を制御するように構成され、サブバンドリソース情報を取得し、前記サブバンドリソース情報がサブバンドリソースを決定するための情報を含み、前記サブバンドリソース情報に従って前記サブバンドリソースを決定するように特に構成されるプロセッサと、
前記サブバンドリソースに従って、データおよび／または制御情報を送信するように構成される前記送受信機と、を含み、
前記サブバンドリソース情報がサブバンド決定方式とサブバンドインデックスとを含み、前記サブバンド決定方式は、前記帯域幅における前記サブバンドの形成方式を指定し、前記サブバンドインデックスは、前記帯域幅における前記サブバンドの番号である、
サブバンドリソースを決定するための装置。
【請求項１７】
前記プロセッサは、キャリアの中心サブキャリアの一方の側から開始して、サブバンドに番号付与し、前記キャリアの前記中心サブキャリアの前記側にあるすべてのサブバンドへの前記番号付与が完了した後、前記キャリアの前記中心サブキャリアの他方の側からサブバンドに番号付与するようにさらに構成される、または
キャリアの中心サブキャリアの両方の側にあるすべてのサブバンドへの番号付与が完了するまで、前記キャリアの前記中心サブキャリアの一方の側から開始して、サブバンドに番号付与し、1つのサブバンドへの番号付与が完了した後、前記キャリアの前記中心サブキャリアの他方の側からサブバンドに番号付与し、1つのサブバンドへの番号付与が完了した後、前記キャリアの前記中心サブキャリアの前記側に戻り、前記側の残りのサブバンドに番号付与し、1つのサブバンドへの番号付与が完了した後、前記キャリアの前記中心サブキャリアの他方の側に戻り、他方の側の残りのサブバンドに番号付与するようにさらに構成される、請求項16に記載の装置。
【請求項１８】
前記サブバンドリソース情報は、第4のオフセットパラメータおよび／または第5のオフセットパラメータをさらに含み、前記第4のオフセットパラメータは、前記サブバンドと前記キャリアの前記中心サブキャリアとの間のオフセットを決定するために使用され、前記第5のオフセットパラメータは、前記サブバンドと前記キャリアにおける右端または左端のリソースブロックとの間の前記オフセットを決定するために使用され、
前記プロセッサは、前記サブバンド決定方式と前記サブバンドインデックスと前記第4のオフセットパラメータとに従って前記サブバンドリソースを決定する、または前記サブバンド決定方式と前記サブバンドインデックスと前記第5のオフセットパラメータとに従って前記サブバンドリソースを決定する、または前記サブバンド決定方式と前記サブバンドインデックスと前記第4のオフセットパラメータと前記第5のオフセットパラメータとに従って前記サブバンドリソースを決定するようにさらに構成される、請求項17に記載の装置。
【請求項１９】
前記プロセッサは、前記サブバンドインデックスが第1の閾値よりも大きいおよび／または等しい場合、前記サブバンドリソース情報と第6のオフセットパラメータとに従って前記サブバンドリソースを決定し、前記サブバンドリソース情報は、前記第6のオフセットパラメータをさらに含み、前記第6のオフセットパラメータは、前記キャリアの前記中心サブキャリアを決定するために使用される、または前記サブバンドインデックスが第1の閾値未満である場合、前記サブバンドリソース情報と第6のオフセットパラメータとに従って前記サブバンドリソースを前記基地局が決定する、または前記サブバンドインデックスが偶数である場合、前記サブバンドリソース情報と第6のオフセットパラメータとに従って前記サブバンドリソースを決定する、または前記サブバンドインデックスが奇数である場合、前記サブバンドリソース情報と第6のオフセットパラメータとに従って前記サブバンドリソースを決定するようにさらに構成される、請求項18に記載の装置。
【請求項２０】
前記プロセッサは、前記サブバンドリソース情報を生成し、予め指定された方式で前記サブバンドリソース情報を決定するようにさらに構成され、
前記送受信機は、前記サブバンドリソース情報を運ぶ第2のシグナリングをユーザ機器UEに送信するようにさらに構成される、請求項16から19のいずれか一項に記載の装置。
【発明の詳細な説明】
【技術分野】
【０００１】
本出願は、2015年1月30日に中国専利局に出願された「APPARATUS AND METHOD FOR DETERMINING SUBBAND RESOURCE」と題する中国特許出願第PCT／CN2015／072036号の優先権を主張するものであり、参照によりその全体を援用する。
【０００２】
本発明は、通信ネットワーク技術の分野に関し、詳細には、サブバンドリソースを決定するための装置および方法に関する。
【背景技術】
【０００３】
現在の通信システムでは、基地局とユーザ機器（User Equipment、UE）とは、キャリア上で情報通信を行う。キャリアの周波数幅（略称、キャリア帯域幅）は、チャネル帯域幅または伝送帯域幅またはシステム帯域幅または帯域幅と呼ばれこともある。通常の能力を有するUEでは、UEは、全システム帯域幅内のデータを受信し得る。
【０００４】
モノのインターネットに関する通信では、指定された感知、計算、実行、および通信の能力を有する様々な装置が配備され、ネットワークを使用して、情報伝送、調整、および処理の機能を実施し、それによって、人とモノとの間およびモノどうしの間で相互接続を実現する。コスト削減のためには、モノのインターネットに関する通信またはマシン型通信（Machine Type Communication、MTC）では、低複雑度（および／または低コスト、および／または低電力消費、および／またはカバレッジ拡大）UEが特に好適である。
【発明の概要】
【課題を解決するための手段】
【０００５】
しかしながら、低複雑度UEは、キャリア上の動作帯域幅（動作帯域幅は、キャリア帯域幅未満であり、例えば、この帯域幅が20MHzであると、動作帯域幅は200KHz、1．4MHz、3MHz、5MHzなどである）内のデータおよび／または制御情報だけしか送信または受信できず、また低複雑度UEは、その帯域幅内の動作帯域幅のどの部分が、データおよび／または制御情報を送信するために使用される帯域幅であるかを知ることができない。したがって、低複雑度UEと基地局との間の通信が妨げられる。
【０００６】
本発明の各実施形態は、UEのコストまたはUEの複雑度を低減しながらユーザ機器と基地局との間の通信をどのようにして確実にするかという課題を解決するために、サブバンドリソースを決定するための方法および装置を提供する。
【０００７】
第1の実施態様によれば、本発明の一実施形態は、サブバンドリソースを決定するための装置を提供し、装置は、ユーザ機器UEに適用され、サブバンドリソースは、サブバンドにおけるリソースであり、サブバンドは、帯域幅内にあり動作帯域幅を有する周波数リソースであり、帯域幅は、下りリンク帯域幅または上りリンク帯域幅であり、動作帯域幅は、帯域幅未満であり、装置は、
サブバンドリソース情報を取得し、サブバンドリソース情報を決定モジュールに提供するように構成される取得モジュールであって、サブバンドリソース情報がサブバンドリソースを決定するための情報を含む、取得モジュールと、
サブバンドリソース情報に従って、サブバンドリソースを決定し、サブバンドリソースを伝送モジュールに提供するように構成される決定モジュールと、
サブバンドリソースに従って、データおよび／または制御情報を送信するように構成される伝送モジュールと、
を含む。
【０００８】
第1の実施態様に関連して、第1の可能な実施形態では、サブバンドリソースはサブバンドである、または
サブバンドリソースは、サブバンドの中心サブキャリアである。
【０００９】
第1の実施態様または第1の実施態様の第1の可能な実施形態に関連して、第2の可能な実施形態では、サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される、または
サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される、または
サブバンドリソース情報がサブバンド決定方式とサブバンドインデックスとを含み、サブバンド決定方式は、帯域幅におけるサブバンドの形成方式を指定し、サブバンドインデックスは、帯域幅におけるサブバンドの番号である。
【００１０】
第1の実施態様の第2の可能な実施形態に関連して、第3の可能な実施形態では、サブバンドリソース情報が、特定の周波数情報と第1のオフセットパラメータとを含む場合、
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、
第1のオフセットパラメータは、第1のオフセットのサブキャリアの数、第1のオフセットの周波数の値、または第1のオフセットのリソースブロックの数のうちの1つ以上を示す。
【００１１】
第1の実施態様の第3の可能な実施形態に関連して、第4の可能な実施形態では、
決定モジュールは、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【００１２】
第1の実施態様の第4の可能な実施形態に関連して、第5の可能な実施形態では、装置は受信モジュールをさらに含み、
受信モジュールは、基地局が送信した第1のシグナリングを受信し、第1のシグナリングを決定モジュールに提供するように構成され、第1のシグナリングは、特定の周波数情報と第1のオフセットとを用いてサブバンドリソースを決定する第1の特定の方式を示すために使用され、第1の特定の方式は、加算方式または減算方式である、または特定の周波数情報と第1のオフセットと第2のオフセットとを用いてサブバンドリソースを決定する第2の特定の方式を示すために使用され、第2の特定の方式は、加算方式または減算方式であり、
決定モジュールは、サブバンドリソース情報と第1のシグナリングとを用いてサブバンドリソースを決定するようにさらに構成される。
【００１３】
第1の実施態様の第2の可能な実施形態に関連して、第6の可能な実施形態では、
決定モジュールは、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【００１４】
第1の実施態様の第2の可能な実施形態に関連して、第7の可能な実施形態では、装置は番号付与モジュールをさらに含み、
番号付与モジュールは、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与するように構成される、または
番号付与モジュールは、キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与するようにさらに構成される。
【００１５】
第1の実施態様の第7の可能な実施形態に関連して、第8の可能な実施形態では、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用され、
決定モジュールは、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【００１６】
第1の実施態様の第8の可能な実施形態に関連して、第9の可能な実施形態では、
決定モジュールは、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【００１７】
第1の実施態様のうちのいずれか1つまたは第1の実施態様の各可能な実施形態に関連して、第10の可能な実施形態では、サブバンドリソースはサブバンドであり、サブバンドが2M＋2個のサブキャリアを含み、Mが0よりも大きい整数である場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【００１８】
第1の実施態様のうちのいずれか1つまたは第1の実施態様の各可能な実施形態に関連して、第11の可能な実施形態では、取得モジュールは、受信ユニットと決定ユニットとを含み、
受信ユニットは、基地局が送信した第2のシグナリングを受信し、第2のシグナリングからサブバンドリソース情報を取得するように構成され、
決定ユニットは、予め指定された方式でサブバンドリソース情報を決定するように構成される。
【００１９】
第1の実施態様のうちのいずれか1つまたは第1の実施態様の各可能な実施形態に関連して、第12の可能な実施形態では、
受信モジュールは、基地局が送信した第3のシグナリングを受信し、第3のシグナリングを決定モジュールに提供するようにさらに構成され、第3のシグナリングは、下りリンクサブバンドリソースと上りリンクサブバンドリソースとの間の複信間隔を示し、
決定モジュールは、サブバンドリソースが下りリンクサブバンドリソースである場合、下りリンクサブバンドリソースと複信間隔とに従って上りリンクサブバンドリソースを決定する、またはサブバンドリソースが上りリンクサブバンドリソースである場合、上りリンクサブバンドリソースと複信間隔とに従って下りリンクサブバンドリソースを決定するようにさらに構成される。
【００２０】
第2の実施態様によれば、本発明の一実施形態は、サブバンドリソースを決定するための装置を提供し、装置は、基地局に適用され、サブバンドリソースは、サブバンドにおけるリソースであり、サブバンドは、帯域幅内にあり動作帯域幅を有する周波数リソースであり、帯域幅は、下りリンク帯域幅または上りリンク帯域幅であり、動作帯域幅は、帯域幅未満であり、装置は、
サブバンドリソース情報を取得し、サブバンドリソース情報を決定モジュールに提供するように構成される取得モジュールであって、サブバンドリソース情報がサブバンドリソースを決定するための情報を含む、取得モジュールと、
サブバンドリソース情報に従って、サブバンドリソースを決定し、サブバンドリソースを伝送モジュールに提供するように構成される決定モジュールと、
サブバンドリソースに従って、データおよび／または制御情報を送信するように構成される伝送モジュールと、
を含む。
【００２１】
第2の実施態様に関連して、第1の可能な実施形態では、
サブバンドリソースはサブバンドである、または
サブバンドリソースは、サブバンドの中心サブキャリアである。
【００２２】
第2の実施態様または第2の実施態様の第1の可能な実施形態に関連して、第2の可能な実施形態では、サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される、または
サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される、または
サブバンドリソース情報がサブバンド決定方式とサブバンドインデックスとを含み、サブバンド決定方式は、帯域幅におけるサブバンドの形成方式を指定し、サブバンドインデックスは、帯域幅におけるサブバンドの番号である。
【００２３】
第2の実施態様の第2の可能な実施形態に関連して、第3の可能な実施形態では、サブバンドリソース情報が、特定の周波数情報と第1のオフセットパラメータとを含む場合、
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、
第1のオフセットパラメータは、第1のオフセットのサブキャリアの数、第1のオフセットの周波数の値、または第1のオフセットのリソースブロックの数のうちの1つ以上を示す。
【００２４】
第2の実施態様の第3の可能な実施形態に関連して、第4の可能な実施形態では、
決定モジュールは、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【００２５】
第2の実施態様の第4の可能な実施形態に関連して、第5の可能な実施形態では、装置は生成モジュールと送信モジュールとをさらに含み、
生成モジュールは、特定の周波数情報と第1のオフセットとを用いてサブバンドリソースを決定する第1の特定の方式を示すために使用される第1のシグナリングを生成する、および／または特定の周波数情報と第1のオフセットと第2のオフセットとを用いてサブバンドリソースを決定する第2の特定の方式を示すために使用される第1のシグナリングを生成し、第1の特定の方式は、加算方式または減算方式であり、第2の特定の方式は、加算方式または減算方式であり、第1のシグナリングを生成し、第1のシグナリングは、第1の特定の方式および／または第2の特定の方式を示すように構成され、
決定モジュールは、サブバンドリソース情報、第1の特定の方式、および／または第2の特定の方式に従ってサブバンドリソースを決定するようにさらに構成され、
送信モジュールは、第1のシグナリングをユーザ機器UEに送信するように構成される。
【００２６】
第2の実施態様の第2の可能な実施形態に関連して、第6の可能な実施形態では、
決定モジュールは、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【００２７】
第2の実施態様の第2の可能な実施形態に関連して、第7の可能な実施形態では、装置は番号付与モジュールをさらに含み、
番号付与モジュールは、キャリアの中心サブキャリアの一方の側から開始して、サブバンドに番号付与し、キャリアの中心サブキャリアの上記側にあるすべてのサブバンドへの番号付与が完了した後、キャリアの中心サブキャリアの他方の側からサブバンドに番号付与する、または
キャリアの中心サブキャリアの両方の側にあるすべてのサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与するようにさらに構成される。
【００２８】
第2の実施態様の第7の可能な実施形態に関連して、第8の可能な実施形態では、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用され、
決定モジュールは、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【００２９】
第2の実施態様の第8の可能な実施形態に関連して、第9の可能な実施形態では、
決定モジュールは、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【００３０】
第2の実施態様のうちのいずれか1つまたは第2の実施態様の各可能な実施形態に関連して、第10の可能な実施形態では、サブバンドリソースはサブバンドであり、サブバンドが2M＋2個のサブキャリアを含む場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【００３１】
第2の実施態様のうちのいずれか1つまたは第2の実施態様の各可能な実施形態に関連して、第11の可能な実施形態では、取得モジュールは、生成ユニットと決定ユニットとを含み、
生成ユニットは、サブバンドリソース情報を生成するように構成され、
決定ユニットは、予め指定された方式でサブバンドリソース情報を決定するように構成され、
送信モジュールは、サブバンドリソース情報を運ぶ第2のシグナリングをUEに送信するようにさらに構成される。
【００３２】
第2の実施態様のうちのいずれか1つまたは第2の実施態様の各可能な実施形態に関連して、第12の可能な実施形態では、
決定モジュールは、下りリンクサブバンドリソースと上りリンクサブバンドリソースとの間の複信間隔を決定するようにさらに構成され、
生成モジュールは、第3のシグナリングを生成し、第3のシグナリングを送信モジュールに提供するようにさらに構成され、
送信モジュールは、複信間隔を運ぶ第3のシグナリングをUEに送信するようにさらに構成され、
決定モジュールは、サブバンドリソースが下りリンクサブバンドリソースである場合、下りリンクサブバンドリソースと複信間隔とに従って上りリンクサブバンドリソースを決定する、またはサブバンドリソースが上りリンクサブバンドリソースである場合、下りリンクサブバンドリソースと複信間隔とに従って下りリンクサブバンドリソースを決定するようにさらに構成される。
【００３３】
第3の実施態様によれば、本発明の一実施形態は、サブバンドリソースを決定するための装置を提供し、装置は、ユーザ機器UEに適用され、サブバンドリソースは、サブバンドにおけるリソースであり、サブバンドは、帯域幅内にあり、動作帯域幅を有する、周波数リソースであり、帯域幅は、下りリンク帯域幅または上りリンク帯域幅であり、動作帯域幅は、帯域幅未満であり、装置が、
プログラム命令含む情報を記憶するように構成されるメモリと、
メモリと送受信機とに接続され、プログラム命令の実行を制御するように構成され、サブバンドリソース情報を取得し、サブバンドリソース情報がサブバンドリソースを決定するための情報を含み、サブバンドリソース情報に従ってサブバンドリソースを決定するように特に構成されるプロセッサと、
サブバンドリソースに従って、データおよび／または制御情報を送信するように構成される送受信機と、
を含む。
【００３４】
第3の実施態様に関連して、第1の可能な実施形態では、サブバンドリソースはサブバンドである、または
サブバンドリソースは、サブバンドの中心サブキャリアである。
【００３５】
第3の実施態様または第3の実施態様の第1の可能な実施形態に関連して、第2の可能な実施形態では、サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される、または
サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される、または
サブバンドリソース情報がサブバンド決定方式とサブバンドインデックスとを含み、サブバンド決定方式は、帯域幅におけるサブバンドの形成方式を指定し、サブバンドインデックスは、帯域幅におけるサブバンドの番号である。
【００３６】
第3の実施態様の第2の可能な実施形態に関連して、第3の可能な実施形態では、サブバンドリソース情報が、特定の周波数情報と第1のオフセットパラメータとを含む場合、
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、
第1のオフセットパラメータは、第1のオフセットのサブキャリアの数、第1のオフセットの周波数の値、または第1のオフセットのリソースブロックの数のうちの1つ以上を示す。
【００３７】
第3の実施態様の第3の可能な実施形態に関連して、第4の可能な実施形態では、
プロセッサは、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【００３８】
第3の実施態様の第4の可能な実施形態に関連して、第5の可能な実施形態では、
送受信機は、基地局が送信した第1のシグナリングを受信し、第1のシグナリングをプロセッサに提供するように構成され、第1のシグナリングは、特定の周波数情報と第1のオフセットとを用いてサブバンドリソースを決定する第1の特定の方式を示すために使用され、第1の特定の方式は、加算方式または減算方式である、または特定の周波数情報と第1のオフセットと第2のオフセットとを用いてサブバンドリソースを決定する第2の特定の方式を示すために使用され、第2の特定の方式は、加算方式または減算方式であり、
プロセッサは、サブバンドリソース情報と第1のシグナリングとを用いてサブバンドリソースを決定するようにさらに構成される。
【００３９】
第3の実施態様の第2の可能な実施形態に関連して、第6の可能な実施形態では、
プロセッサは、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【００４０】
第3の実施態様の第2の可能な実施形態に関連して、第7の可能な実施形態では、
プロセッサは、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与する、または
キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与するようにさらに構成される。
【００４１】
第3の実施態様の第7の可能な実施形態に関連して、第8の可能な実施形態では、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用され、
プロセッサは、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【００４２】
第3の実施態様の第8の可能な実施形態に関連して、第9の可能な実施形態では、
プロセッサは、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【００４３】
第3の実施態様のうちのいずれか1つまたは第3の実施態様の各可能な実施形態に関連して、第10の可能な実施形態では、サブバンドリソースはサブバンドであり、サブバンドが2M＋2個のサブキャリアを含み、Mが0よりも大きい整数である場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【００４４】
第3の実施態様のうちのいずれか1つまたは第3の実施態様の各可能な実施形態に関連して、第11の可能な実施形態では、
送受信機ユニットは、基地局が送信した第2のシグナリングを受信し、第2のシグナリングからサブバンドリソース情報を取得するようにさらに構成され、
プロセッサは、予め指定された方式でサブバンドリソース情報を決定するように構成される。
【００４５】
第3の実施態様のうちのいずれか1つまたは第3の実施態様の各可能な実施形態に関連して、第12の可能な実施形態では、
送受信機は、基地局が送信した第3のシグナリングを受信し、第3のシグナリングをプロセッサに提供するようにさらに構成され、第3のシグナリングは、下りリンクサブバンドリソースと上りリンクサブバンドリソースとの間の複信間隔を示し、
プロセッサは、サブバンドリソースが下りリンクサブバンドリソースである場合、下りリンクサブバンドリソースと複信間隔とに従って上りリンクサブバンドリソースを決定する、またはサブバンドリソースが上りリンクサブバンドリソースである場合、上りリンクサブバンドリソースと複信間隔とに従って下りリンクサブバンドリソースを決定するようにさらに構成される。
【００４６】
第4の実施態様によれば、本発明の一実施形態は、サブバンドリソースを決定するための装置を提供し、装置は、基地局に適用され、サブバンドリソースは、サブバンドにおけるリソースであり、サブバンドは、帯域幅内にあり、動作帯域幅を有する、周波数リソースであり、帯域幅は、下りリンク帯域幅または上りリンク帯域幅であり、動作帯域幅は、帯域幅未満であり、装置が、
プログラム命令含む情報を記憶するように構成されるメモリと、
メモリと送受信機とに接続され、プログラム命令の実行を制御するように構成され、サブバンドリソース情報を取得し、サブバンドリソース情報がサブバンドリソースを決定するための情報を含み、サブバンドリソース情報に従ってサブバンドリソースを決定するように特に構成されるプロセッサと、
サブバンドリソースに従って、データおよび／または制御情報を送信するように構成される送受信機と、
を含む。
【００４７】
第4の実施態様に関連して、第1の可能な実施形態では、
サブバンドリソースはサブバンドである、または
サブバンドリソースは、サブバンドの中心サブキャリアである。
【００４８】
第4の実施態様または第4の実施態様の第1の可能な実施形態に関連して、第2の可能な実施形態では、サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される、または
サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される、または
サブバンドリソース情報がサブバンド決定方式とサブバンドインデックスとを含み、サブバンド決定方式は、帯域幅におけるサブバンドの形成方式を指定し、サブバンドインデックスは、帯域幅におけるサブバンドの番号である。
【００４９】
第4の実施態様の第2の可能な実施形態に関連して、第3の可能な実施形態では、サブバンドリソース情報が、特定の周波数情報と第1のオフセットパラメータとを含む場合、
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、
第1のオフセットパラメータは、第1のオフセットのサブキャリアの数、第1のオフセットの周波数の値、または第1のオフセットのリソースブロックの数のうちの1つ以上を示す。
【００５０】
第4の実施態様の第3の可能な実施形態に関連して、第4の可能な実施形態では、
プロセッサは、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【００５１】
第4の実施態様の第4の可能な実施形態に関連して、第5の可能な実施形態では、
プロセッサは、特定の周波数情報と第1のオフセットとを用いてサブバンドリソースを決定する第1の特定の方式を示すために使用される第1のシグナリングを生成する、および／または特定の周波数情報と第1のオフセットと第2のオフセットとを用いてサブバンドリソースを決定する第2の特定の方式を示すために使用される第1のシグナリングを生成し、第1の特定の方式は、加算方式または減算方式であり、第2の特定の方式は、加算方式または減算方式であり、第1のシグナリングを生成し、第1のシグナリングは、第1の特定の方式および／または第2の特定の方式を示し、サブバンドリソース情報、第1の特定の方式、および／または第2の特定の方式に従ってサブバンドリソースを決定するようにさらに構成され、
送受信機は、第1のシグナリングをユーザ機器UEに送信するようにさらに構成される。
【００５２】
第4の実施態様の第2の可能な実施形態に関連して、第6の可能な実施形態では、
プロセッサは、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【００５３】
第4の実施態様の第2の可能な実施形態に関連して、第7の可能な実施形態では、
プロセッサは、キャリアの中心サブキャリアの一方の側から開始して、サブバンドに番号付与し、キャリアの中心サブキャリアの上記側にあるすべてのサブバンドへの番号付与が完了した後、キャリアの中心サブキャリアの他方の側からサブバンドに番号付与する、または
キャリアの中心サブキャリアの両方の側にあるすべてのサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与するようにさらに構成される。
【００５４】
第4の実施態様の第7の可能な実施形態に関連して、第8の可能な実施形態では、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用され、
プロセッサは、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【００５５】
第4の実施態様の第8の可能な実施形態に関連して、第9の可能な実施形態では、
プロセッサは、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを基地局が決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【００５６】
第4の実施態様のうちのいずれか1つまたは第4の実施態様の各可能な実施形態に関連して、第10の可能な実施形態では、サブバンドリソースはサブバンドであり、サブバンドが2M＋2個のサブキャリアを含む場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【００５７】
第4の実施態様のうちのいずれか1つまたは第4の実施態様の各可能な実施形態に関連して、第11の可能な実施形態では、
プロセッサは、サブバンドリソース情報を生成し、予め指定された方式でサブバンドリソース情報を決定するようにさらに構成され、
送受信機は、サブバンドリソース情報を運ぶ第2のシグナリングをUEに送信するようにさらに構成される。
【００５８】
第4の実施態様のうちのいずれか1つまたは第4の実施態様の各可能な実施形態に関連して、第12の可能な実施形態では、
プロセッサは、下りリンクサブバンドリソースと上りリンクサブバンドリソースとの間の複信間隔を決定し、第3のシグナリングを生成し、第3のシグナリングを送受信機に提供するようにさらに構成され、
送受信機は、複信間隔を運ぶ第3のシグナリングをUEに送信するようにさらに構成され、
プロセッサは、サブバンドリソースが下りリンクサブバンドリソースである場合、下りリンクサブバンドリソースと複信間隔とに従って上りリンクサブバンドリソースを決定する、またはサブバンドリソースが上りリンクサブバンドリソースである場合、下りリンクサブバンドリソースと複信間隔とに従って下りリンクサブバンドリソースを決定するようにさらに構成される。
【００５９】
第5の実施態様によれば、本発明の一実施形態は、サブバンドリソースを決定するための方法を提供し、方法は、ユーザ機器UEに適用され、サブバンドリソースは、サブバンドにおけるリソースであり、サブバンドは、帯域幅内にあり、動作帯域幅を有する、周波数リソースであり、帯域幅は、下りリンク帯域幅または上りリンク帯域幅であり、動作帯域幅は、帯域幅未満であり、方法は、
UEによって、サブバンドリソース情報を取得するステップであって、サブバンドリソース情報がサブバンドリソースを決定するための情報を含む、ステップと、
UEによって、サブバンドリソース情報に従ってサブバンドリソースを決定するステップと、
UEによって、サブバンドリソースに従って、データおよび／または制御情報を送信するステップと、
を含む。
【００６０】
第5の実施態様に関連して、第1の可能な実施形態では、サブバンドリソースはサブバンドである、または
サブバンドリソースは、サブバンドの中心サブキャリアである。
【００６１】
第5の実施態様または第5の実施態様の第1の可能な実施形態に関連して、第2の可能な実施形態では、サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される、または
サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される、または
サブバンドリソース情報がサブバンド決定方式とサブバンドインデックスとを含み、サブバンド決定方式は、帯域幅におけるサブバンドの形成方式を指定し、サブバンドインデックスは、帯域幅におけるサブバンドの番号である。
【００６２】
第5の実施態様の第2の可能な実施形態に関連して、第3の可能な実施形態では、サブバンドリソース情報が、特定の周波数情報と第1のオフセットパラメータとを含む場合、
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、
第1のオフセットパラメータは、第1のオフセットのサブキャリアの数、第1のオフセットの周波数の値、または第1のオフセットのリソースブロックの数のうちの1つ以上を示す。
【００６３】
第5の実施態様の第3の可能な実施形態に関連して、第4の可能な実施形態では、帯域幅に含まれるリソースブロックの数が奇数である場合、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数であり、
UEによって、サブバンドリソース情報に従ってサブバンドリソースを決定するステップは、
UEによって、特定の周波数情報と第1のオフセットパラメータと第2のオフセットパラメータとに従ってサブバンドリソースを決定するステップ
を含む。
【００６４】
第5の実施態様の第4の可能な実施形態に関連して、第5の可能な実施形態では、方法は、
UEによって、基地局が送信した第1のシグナリングを受信するステップであって、第1のシグナリングは、特定の周波数情報と第1のオフセットとを用いてサブバンドリソースを決定する第1の特定の方式を示すために使用され、第1の特定の方式は、加算方式または減算方式である、または特定の周波数情報と第1のオフセットと第2のオフセットとを用いてサブバンドリソースを決定する第2の特定の方式を示すために使用され、第2の特定の方式は、加算方式または減算方式である、ステップをさらに含み、
UEによって、サブバンドリソース情報に従ってサブバンドリソースを決定するステップは、
UEによって、サブバンドリソース情報と第1のシグナリングとを用いてサブバンドリソースを決定するステップ
を含む。
【００６５】
第5の実施態様の第2の可能な実施形態に関連して、第6の可能な実施形態では、サブバンドリソース情報が、第1のパラメータと第2のパラメータとを含む場合、サブバンドリソース情報は、第3のオフセットパラメータをさらに含み、第3のオフセットパラメータは、サブバンドの中心サブキャリアのオフセットを決定するために使用され、
UEによって、サブバンドリソース情報に従ってサブバンドリソースを決定するステップは、
UEによって、第1のパラメータと第2のパラメータと第3のオフセットパラメータとに従ってサブバンドリソースを決定するステップ
を含む。
【００６６】
第5の実施態様の第2の可能な実施形態に関連して、第7の可能な実施形態では、サブバンドリソース情報が、サブバンド決定方式とサブバンドインデックスとを含む場合、
サブバンド決定方式については、サブバンド決定方式1またはサブバンド決定方式2が使用され、
サブバンド決定方式1：UEによって、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与する、または
サブバンド決定方式2：UEによって、キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。
【００６７】
第5の実施態様の第7の可能な実施形態に関連して、第8の可能な実施形態では、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用され、UEによって、サブバンドリソース情報に従ってサブバンドリソースを決定するステップは、
UEによって、サブバンド決定方式とサブバンドインデックスと第4のオフセットパラメータとに従ってサブバンドリソースを決定するステップ、または
UEによって、サブバンド決定方式とサブバンドインデックスと第5のオフセットパラメータとに従ってサブバンドリソースを決定するステップ、または
UEによって、サブバンド決定方式とサブバンドインデックスと第4のオフセットパラメータと第5のオフセットパラメータとに従ってサブバンドリソースを決定するステップ
を含む。
【００６８】
第5の実施態様の第8の可能な実施形態に関連して、第9の可能な実施形態では、サブバンドリソース情報が、第6のオフセットパラメータをさらに含み、第6のオフセットパラメータは、サブバンドの中心サブキャリアを決定するために使用され、UEによって、サブバンドリソース情報に従ってサブバンドリソースを決定するステップは、
サブバンドインデックスが第1の閾値よりも大きいおよび／または等しい場合、UEによって、サブバンドリソース情報と第6のオフセットパラメータとに従ってサブバンドリソースを決定するステップ、または
サブバンドインデックスが第1の閾値未満である場合、UEによって、サブバンドリソース情報と第6のオフセットパラメータとに従ってサブバンドリソースを決定するステップ、または
サブバンドインデックスが偶数である場合、UEによって、サブバンドリソース情報と第6のオフセットパラメータとに従ってサブバンドリソースを決定するステップ、または
サブバンドインデックスが奇数である場合、UEによって、サブバンドリソース情報と第6のオフセットパラメータとに従ってサブバンドリソースを決定するステップ
を含む。
【００６９】
第5の実施態様のうちのいずれか1つまたは第5の実施態様の各可能な実施形態に関連して、第10の可能な実施形態では、サブバンドリソースはサブバンドであり、サブバンドが2M＋2個のサブキャリアを含み、Mが0よりも大きい整数である場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【００７０】
第5の実施態様のうちのいずれか1つまたは第5の実施態様の各可能な実施形態に関連して、第11の可能な実施形態では、UEによって、サブバンドリソース情報を取得するステップは、
UEによって、基地局が送信した第2のシグナリングを受信し、第2のシグナリングからサブバンドリソース情報を取得する、ステップ、および／または
UEによって、予め指定された方式でサブバンドリソース情報を決定するステップ、
を含む。
【００７１】
第5の実施態様のうちのいずれか1つまたは第5の実施態様の各可能な実施形態に関連して、第12の可能な実施形態では、UEによって、サブバンドリソース情報に従ってサブバンドリソースを決定するステップの後、方法は、
UEによって、基地局が送信した第3のシグナリングを受信するステップであって、第3のシグナリングは、下りリンクサブバンドリソースと上りリンクサブバンドリソースとの間の複信間隔を示す、ステップと、
サブバンドリソースが下りリンクサブバンドリソースである場合、UEによって、下りリンクサブバンドリソースと複信間隔とに従って上りリンクサブバンドリソースを決定するステップ、または
サブバンドリソースが上りリンクサブバンドリソースである場合、UEによって、上りリンクサブバンドリソースと複信間隔とに従って下りリンクサブバンドリソースを決定するステップと、
をさらに含む。
【００７２】
第6の実施態様によれば、本発明の一実施形態は、サブバンドリソースを決定するための方法を提供し、方法は、基地局に適用され、サブバンドリソースは、サブバンドにおけるリソースであり、サブバンドは、帯域幅内にあり動作帯域幅を有する周波数リソースであり、帯域幅は、下りリンク帯域幅または上りリンク帯域幅であり、動作帯域幅は、帯域幅未満であり、方法は、
基地局によって、サブバンドリソース情報を取得するステップであって、サブバンドリソース情報がサブバンドリソースを決定するための情報を含む、ステップと、
基地局によって、サブバンドリソース情報に従ってサブバンドリソースを決定するステップと、
基地局によって、サブバンドリソースに従って、データおよび／または制御情報を送信するステップと、
を含む。
【００７３】
第6の実施態様に関連して、第1の可能な実施形態では、サブバンドリソースはサブバンドである、または
サブバンドリソースは、サブバンドの中心サブキャリアである。
【００７４】
第6の実施態様または第6の実施態様の第1の可能な実施形態に関連して、第2の可能な実施形態では、サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される、または
サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される、または
サブバンドリソース情報がサブバンド決定方式とサブバンドインデックスとを含み、サブバンド決定方式は、帯域幅におけるサブバンドの形成方式を指定し、サブバンドインデックスは、帯域幅におけるサブバンドの番号である。
【００７５】
第6の実施態様の第2の可能な実施形態に関連して、第3の可能な実施形態では、サブバンドリソース情報が、特定の周波数情報と第1のオフセットパラメータとを含む場合、
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、
第1のオフセットパラメータは、第1のオフセットのサブキャリアの数、第1のオフセットの周波数の値、または第1のオフセットのリソースブロックの数のうちの1つ以上を示す。
【００７６】
第6の実施態様の第3の可能な実施形態に関連して、第4の可能な実施形態では、帯域幅に含まれるリソースブロックの数が奇数である場合、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数であり、
基地局によって、サブバンドリソース情報に従ってサブバンドリソースを決定するステップは、
基地局によって、特定の周波数情報と第1のオフセットパラメータと第2のオフセットパラメータとに従ってサブバンドリソースを決定するステップ
を含む。
【００７７】
第6の実施態様の第4の可能な実施形態に関連して、第5の可能な実施形態では、方法は、
基地局によって、特定の周波数情報と第1のオフセットとを用いてサブバンドリソースを決定する第1の特定の方式を示すために使用される第1のシグナリングを生成するステップ、および／または特定の周波数情報と第1のオフセットと第2のオフセットとを用いてサブバンドリソースを決定する第2の特定の方式を示すために使用される第1のシグナリングを生成するステップであって、第1の特定の方式は、加算方式または減算方式であり、第2の特定の方式は、加算方式または減算方式である、ステップと、
基地局によって、第1のシグナリングを生成するステップであって、第1のシグナリングは、第1の特定の方式および／または第2の特定の方式を示す、ステップと、
基地局によって、サブバンドリソース情報、第1の特定の方式、および／または第2の特定の方式に従ってサブバンドリソースを決定するステップと、
基地局によって、第1のシグナリングをユーザ機器UEに送信するステップと、
をさらに含む。
【００７８】
第6の実施態様の第2の可能な実施形態に関連して、第6の可能な実施形態では、サブバンドリソース情報が、第1のパラメータと第2のパラメータとを含む場合、サブバンドリソース情報は、第3のオフセットパラメータをさらに含み、第3のオフセットパラメータは、サブバンドの中心サブキャリアのオフセットを決定するために使用され、
基地局によって、サブバンドリソース情報に従ってサブバンドリソースを決定するステップは、
基地局によって、第1のパラメータと第2のパラメータと第3のオフセットパラメータとに従ってサブバンドリソースを決定するステップ
を含む。
【００７９】
第6の実施態様の第2の可能な実施形態に関連して、第7の可能な実施形態では、サブバンドリソース情報が、サブバンド決定方式とサブバンドインデックスとを含む場合、
サブバンド決定方式については、サブバンド決定方式1またはサブバンド決定方式2が使用され、
サブバンド決定方式1：基地局によって、キャリアの中心サブキャリアの一方の側から開始して、サブバンドに番号付与し、キャリアの中心サブキャリアの上記側にあるすべてのサブバンドへの番号付与が完了した後、キャリアの中心サブキャリアの他方の側からサブバンドに番号付与する、
サブバンド決定方式2：基地局によって、キャリアの中心サブキャリアの両方の側にあるすべてのサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。
【００８０】
第6の実施態様の第7の可能な実施形態に関連して、第8の可能な実施形態では、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用され、基地局によって、サブバンドリソース情報に従ってサブバンドリソースを決定するステップは、
基地局によって、サブバンド決定方式とサブバンドインデックスと第4のオフセットパラメータとに従ってサブバンドリソースを決定するステップ、または
基地局によって、サブバンド決定方式とサブバンドインデックスと第5のオフセットパラメータとに従ってサブバンドリソースを決定するステップ、または
基地局によって、サブバンド決定方式とサブバンドインデックスと第4のオフセットパラメータと第5のオフセットパラメータとに従ってサブバンドリソースを決定するステップ
を含む。
【００８１】
第6の実施態様の第8の可能な実施形態に関連して、第9の可能な実施形態では、サブバンドリソース情報が、第6のオフセットパラメータをさらに含み、第6のオフセットパラメータは、サブバンドの中心サブキャリアを決定するために使用され、基地局によって、サブバンドリソース情報に従ってサブバンドリソースを決定するステップは、
サブバンドインデックスが第1の閾値よりも大きいおよび／または等しい場合、基地局によって、サブバンドリソース情報と第6のオフセットパラメータとに従ってサブバンドリソースを決定するステップ、または
サブバンドインデックスが第1の閾値未満である場合、基地局によって、サブバンドリソース情報と第6のオフセットパラメータとに従ってサブバンドリソースを決定するステップ、または
サブバンドインデックスが偶数である場合、基地局によって、サブバンドリソース情報と第6のオフセットパラメータとに従ってサブバンドリソースを決定するステップ、または
サブバンドインデックスが奇数である場合、基地局によって、サブバンドリソース情報と第6のオフセットパラメータとに従ってサブバンドリソースを決定するステップ
を含む。
【００８２】
第6の実施態様のうちのいずれか1つまたは第6の実施態様の各可能な実施形態に関連して、第10の可能な実施形態では、サブバンドリソースはサブバンドであり、サブバンドが2M＋2個のサブキャリアを含む場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【００８３】
第6の実施態様のうちのいずれか1つまたは第6の実施態様の各可能な実施形態に関連して、第11の可能な実施形態では、基地局によって、サブバンドリソース情報を取得するステップは、
基地局によって、サブバンドリソース情報を生成するステップ、および／または基地局によって、予め指定された方式でサブバンドリソース情報を決定するステップ
を含み、
基地局によって、サブバンドリソース情報を取得するステップの後、方法は、
基地局によって、サブバンドリソース情報を運ぶ第2のシグナリングをUEに送信するステップ、
をさらに含む。
【００８４】
第6の実施態様のうちのいずれか1つまたは第6の実施態様の各可能な実施形態に関連して、第12の可能な実施形態では、基地局によって、サブバンドリソース情報に従ってサブバンドリソースを決定するステップの後、方法は、
基地局によって、下りリンクサブバンドリソースと上りリンクサブバンドリソースとの間の複信間隔を決定するステップと、
基地局によって、第3のシグナリングを生成するステップと、
基地局によって、複信間隔を運ぶ第3のシグナリングをUEに送信するステップと、
サブバンドリソースが下りリンクサブバンドリソースである場合、基地局によって、下りリンクサブバンドリソースと複信間隔とに従って上りリンクサブバンドリソースを決定するステップ、または
サブバンドリソースが上りリンクサブバンドリソースである場合、基地局によって、下りリンクサブバンドリソースと複信間隔とに従って下りリンクサブバンドリソースを決定するステップ、
をさらに含む。
【００８５】
本発明は、サブバンドリソースを決定するための装置および方法を提供する。低複雑度UEは、キャリア上の動作帯域幅内のデータだけしか送信または受信できず、また低複雑度UEは、帯域幅内のどの動作帯域幅サイズの帯域幅が、低複雑度UEに関わるデータを送信するために使用される帯域幅であるかを知ることができないために、低複雑度UEと基地局との間の通信が妨げられるという従来技術の課題と比べて、本発明では、UEが、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、UEは、サブバンドリソースを用いて、帯域幅における周波数帯域幅サイズの帯域幅がUEに関わるデータを送信または受信するための帯域幅であると決定でき、その結果、UEのコストまたはUEの複雑度を低減しながらユーザ機器が基地局と通信できる。
【００８６】
本発明の実施形態における、または従来技術における技術的な解決策をより明確に説明するために、以下、実施形態または従来技術を説明するために必要な添付の図面を簡単に紹介する。当然のことながら、以下の説明における添付の図面は、本発明の一部の実施形態のみを示すものであり、当業者は、創造的努力がなくても、これらの添付の図面から他の図面をさらに導出することができる。
【図面の簡単な説明】
【００８７】
【図１】本発明の一実施形態による、通信システムの概略図である。
【図２】本発明の一実施形態による、サブバンドリソースを決定するための装置の概略ロジック図である。
【図３（ａ）】本発明の一実施形態による、サブバンドリソースを決定するための方法におけるサブバンドの概略図である。
【図３（ｂ）】本発明の一実施形態による、サブバンドリソースを決定するための方法におけるサブバンドの別の概略図である。
【図４】本発明の一実施形態による、サブバンドリソースを決定するための別の装置の概略ロジック図である。
【図５】本発明の一実施形態による、サブバンドリソースを決定するためのさらに別の装置の概略ロジック図である。
【図６】本発明の一実施形態による、サブバンドリソースを決定するためのまたさらに別の装置の概略ロジック図である。
【図７】本発明の一実施形態による、サブバンドリソースを決定するためのそのまたさらに別の装置の概略ロジック図である。
【図８】本発明の一実施形態による、サブバンドリソースを決定するためのさらなる装置の概略ロジック図である。
【図９】本発明の一実施形態による、サブバンドリソースを決定するための方法の流れ図である。
【図１０（ａ）】本発明の一実施形態による、サブバンドリソースを決定するための方法の概略図である。
【図１０（ｂ）】本発明の一実施形態による、サブバンドリソースを決定するための別の方法の概略図である。
【図１１（ａ）】本発明の一実施形態による、サブバンドリソースを決定するための方法におけるサブバンドの決定の概略図である。
【図１１（ｂ）】本発明の一実施形態による、サブバンドリソースを決定するための方法におけるサブバンドの決定の別の概略図である。
【図１１（ｃ）】本発明の一実施形態による、サブバンドリソースを決定するための方法におけるサブバンドの決定のさらに別の概略図である。
【図１２】本発明の一実施形態による、サブバンドリソースを決定するためのさらに別の方法の概略図である。
【図１３（ａ）】本発明の一実施形態による、サブバンドリソースを決定するための方法におけるサブバンドの番号付与の概略図である。
【図１３（ｂ）】本発明の一実施形態による、サブバンドリソースを決定するための方法におけるサブバンドの番号付与の別の概略図である。
【図１３（ｃ）】本発明の一実施形態による、サブバンドリソースを決定するための方法におけるサブバンドの番号付与のさらに別の概略図である。
【図１３（ｄ）】本発明の一実施形態による、サブバンドリソースを決定するための方法におけるサブバンドの番号付与のまた別の概略図である。
【図１４（ａ）】本発明の一実施形態による、サブバンドリソースを決定するための方法におけるオーバーラップ可能なサブバンドのサブバンドの番号付与の概略図である。
【図１４（ｂ）】本発明の一実施形態による、サブバンドリソースを決定するための方法におけるオーバーラップ可能なサブバンドのサブバンドの番号付与の別の概略図である。
【図１４（ｃ）】本発明の一実施形態による、サブバンドリソースを決定するための方法におけるオーバーラップ可能なサブバンドのサブバンドの番号付与のさらに別の概略図である。
【図１４（ｄ）】本発明の一実施形態による、サブバンドリソースを決定するための方法におけるオーバーラップ可能なサブバンドのサブバンドの番号付与のさらに別の概略図である。
【図１５（ａ）】本発明の一実施形態による、サブバンドリソースを決定するための方法におけるサブバンドの番号付与のまたさらに別の概略図である。
【図１５（ｂ）】本発明の一実施形態による、サブバンドリソースを決定するための方法におけるサブバンドの番号付与のさらなる概略図である。
【図１５（ｃ）】本発明の一実施形態による、サブバンドリソースを決定するための方法における第4のオフセットパラメータの値の概略図である。
【図１５（ｄ）】本発明の一実施形態による、サブバンドリソースを決定するための方法における第4のオフセットパラメータの値の別の概略図である。
【図１５（ｅ）】本発明の一実施形態による、サブバンドリソースを決定するための方法における第4のオフセットパラメータの値のさらに別の概略図である。
【図１６】本発明の一実施形態による、サブバンドリソースを決定するための別の方法の流れ図である。
【発明を実施するための形態】
【００８８】
以下、本発明の実施形態における添付の図面を参照しながら、本発明の実施形態における技術的な解決策を明確かつ完全に説明する。当然のことながら、説明される実施形態は、単に本発明の実施形態の一部に過ぎず、すべてではない。本発明の実施形態に基づいて、当業者によって創造的努力なしに得られるすべての他の実施形態は、本発明の保護範囲内に含まれるものとする。
【００８９】
本明細書で使用する「コンポーネント」、「モジュール」、および「システム」などの用語は、コンピュータ関連エンティティ、ハードウェア、ファームウェア、ハードウェアとソフトウェアとの組み合わせ、ソフトウェア、または実行されているソフトウェアを示すために使用される。例えば、コンポーネントは、限定するものではないが、プロセッサ上で稼働するプロセス、プロセッサ、オブジェクト、実行ファイル、実行スレッド、プログラム、および／またはコンピュータとし得る。図示のように、計算装置上で稼働するアプリケーションと計算装置との両方ともコンポーネントであり得る。プロセスおよび／または実行スレッド内に1つ以上のコンポーネントが存在でき、コンポーネントは、1つのコンピュータに配置されてもよい、および／または2つ以上のコンピュータに分散されてもよい。加えて、これらのコンポーネントは、様々なデータ構造を記憶する様々なコンピュータ可読媒体としてもよい。例えば、コンポーネントどうしは、ローカルおよび／またはリモートのプロセスを用いて、また例えば、1つ以上のデータパケット（例えば、ローカルシステム、分散システム、および／または信号を用いて他のシステムと相互作用するインターネットなどのネットワークにおいて、別のコンポーネントと相互作用する2つのコンポーネントからのデータ）を有する信号に従って、通信してよい。
【００９０】
UEは、無線ユーザ機器であっても有線ユーザ機器であってもよい。例えば、無線ユーザ機器は、ユーザに音声および／またはデータ接続性を提供する装置、無線接続機能を有する携帯機器、あるいは無線モデムに接続された別の処理装置を指し得る。無線ユーザ機器は、無線アクセスネットワーク（例えば、RAN、Radio Access Network）を用いて1つ以上のコアネットワークと通信できる。無線ユーザ機器は、モバイルユーザ機器、例えば携帯電話（または「セルラー」電話と呼ぶ）、またはモバイルユーザ機器を内蔵したコンピュータであってよく、例えば、無線ユーザ機器は、無線アクセスネットワークで音声および／またはデータを交換する、ポータブル、ポケット型、携帯用、コンピュータ内蔵、もしくは車両搭載モバイル装置であってよい。例えば、無線ユーザ機器は、パーソナル通信サービス（PCS、Personal Communication Service）電話、コードレス電話機、セッション開始プロトコル（SIP）電話、無線ローカルループ（WLL、Wireless Local Loop）局、または携帯情報端末（PDA、Personal Digital Assistant）などの装置であってよい。無線ユーザ機器はまた、システム、加入者ユニット（Subscriber Unit）、加入者局（Subscriber Station）、移動局（Mobile Station）、移動局（Mobile）、リモートステーション（Remote Station）、アクセスポイント（Access Point）、リモート端末（Remote Terminal）、アクセス端末（Access Terminal）、ユーザ端末（User Terminal）、ユーザエージェント（User Agent）、またはユーザ機器（User Equipment）と呼ばれることもある。
【００９１】
本発明の実施形態では、UE（User Equipment、ユーザ機器）は、キャリア上の動作帯域幅（動作帯域幅は、キャリア帯域幅未満であり、例えば、この帯域幅が20MHzであると、動作帯域幅は200KHz、1．4MHz、3MHz、5MHzなどである）だけしか送信および／または受信できないUE、および／または拡張伝送機能を有するUEを指し得る。具体的には、UEは、低複雑度UE、および／または低コストUE、および／または低電力消費UE、および／または拡張伝送機能を有するUE、および／または新しいタイプのUEである。
【００９２】
UEの動作帯域幅は、UEの送受信機が正常に動作する周波数幅、またはUEの送受信機が対応する最大周波数幅として理解され得る。例えば、LTEシステムでは、現在定義されているシステム帯域幅は、20MHz、10MHz、5MHz、3MHz、および1．4MHzである。LTEシステムの動作帯域幅が20MHzであると仮定すると、UEの動作帯域幅は、200KHz、1MHz、1．4MHz、および5MHzなどの様々な可能な値のうちの1つであり得る。ここでの値は単なる例示的である。UEの実際の動作帯域幅は、実際の要件に基づいて設定され得る。例えば、実際の動作帯域幅は、UEの無線周波数能力、ベースバンド処理能力、プロセッサ、フィルタなどのうちの1つ以上の要件に従って決定される。例えば、UEの無線周波数能力および／またはベースバンド処理能力は、システム帯域幅未満である。例えば、システム帯域幅が20MHzであり、UEの無線周波数能力および／またはベースバンド処理能力が200KHzまたは1．4MHzである。
【００９３】
例えば、低複雑度UEは、キャリア上の動作帯域幅だけしか送信および／または受信できないUEのタイプを指す。特段の指定のない限り、本発明では、UEが低複雑度UEである例を使用して、本発明の方法を説明する。本発明では、拡張伝送は、反復伝送、スペクトラム拡散伝送、再送、送信時間間隔バンドリング、狭帯域（例えば、サブキャリアスケジューリング）伝送、超狭帯域（例えば、帯域幅が数十ヘルツから数万ヘルツまでである）伝送、パワースペクトル密度ブースティング伝送、要件緩和伝送、または試行継続伝送のうちの1つ以上であり得る。
【００９４】
本発明の実施形態における基地局は、無線インターフェースを用いて無線UEと通信する装置を特に指し得る。例えば、基地局は、アクセスポイントまたは端末装置である。基地局は、発展型基地局eNodeBとすることができる。基地局はまた、セルとみなすこともできる。
【００９５】
本発明は、ロングタームエボリューション（Long Term Evolution、LTE）システムまたはLTEアドバンスト（LTE Advanced、LTE−A）システムに主に適用される。本発明はまた、通信システムに情報の送信が可能なエンティティと情報の受信が可能な別のエンティティとがあれば、別の通信システムに適用されてもよい。
【００９６】
本明細書ではUEおよび／または基地局に関連して様々な実施態様を説明する。
【００９７】
本発明では、基地局またはUEは、サブバンドリソースに従って、データおよび／または制御情報を送信する。データは、参照信号またはパイロット信号またはシーケンスを含み得る。制御情報は、制御チャネルで運ばれる。制御チャネルは、拡張物理下りリンク制御チャネルまたは制御情報を運ぶ別のチャネルであり得る。当然のことながら、本発明では、基地局またはUEは、サブバンドリソースに従って他の情報を送信し得る。
【００９８】
図1に示すように、基地局（Base station）およびUE1〜UE6は、通信システムを形成する。通信システムでは、基地局は、公開情報をUE1〜UE6のうちの1つ以上のUEに送信する。加えて、UE4〜UE6はまた、通信システムを形成する。通信システムでは、UE5は、共通の情報をUE4またはUE6のうちの1つ以上のUEに送信し得る。通信システムにおける基地局は、アクセスネットワークにおいて、無線インターフェース上の1つ以上のセクタを用いて無線ユーザ機器と通信する装置を指すことがある。基地局は、受信した無線フレームおよびIPパケットを相互に変換し、また無線ユーザ機器とアクセスネットワークの残りの部分との間のルータとして機能するように構成でき、アクセスネットワークの残りの部分は、インターネットプロトコル（IP）ネットワークを含み得る。基地局はまた、無線インターフェースの属性管理を調整できる。場合により、基地局は、LTEにおける発展型NodeB（NodeBまたはeNBまたはe−NodeB、evolutional Node B）であり得る。
【００９９】
UE4、UE5、およびUE6を含む通信システムでは、UE5は、通信システムのホットスポットであることが理解できよう。UE5の作用は、基地局の作用と類似している。説明を容易にするために、本発明では、通信システムの各ホットスポットを基地局と呼び、残りの装置をUEと呼ぶ。
【０１００】
図2に示すように、本発明の一実施形態は、サブバンドリソースを決定するための装置20を提供する。装置20は、UEに適用される。装置20におけるサブバンドリソースは、サブバンドにおけるリソースである。サブバンドは、帯域幅内にあり、動作帯域幅を有する、周波数リソースである。帯域幅は、下りリンク帯域幅または上りリンク帯域幅である。動作帯域幅は、帯域幅未満である。装置20は、取得モジュール201と、決定モジュール202と、伝送モジュール203とを含む。
【０１０１】
取得モジュール201は、サブバンドリソース情報を取得し、サブバンドリソース情報を決定モジュール202に提供するように構成され、サブバンドリソース情報は、サブバンドリソースを決定するための情報を含む。
【０１０２】
決定モジュール202は、サブバンドリソース情報に従って、サブバンドリソースを決定し、サブバンドリソースを伝送モジュール203に提供するように構成される。
【０１０３】
伝送モジュール203は、サブバンドリソースに従って、データおよび／または制御情報を送信するように構成される。
【０１０４】
本発明は、サブバンドリソースを決定するための装置を提供する。低複雑度UEは、キャリア上の動作帯域幅内のデータだけしか送信または受信できず、また低複雑度UEは、帯域幅内のどの動作帯域幅サイズの帯域幅が、低複雑度UEに関わるデータを送信するために使用される帯域幅であるかを知ることができないために、低複雑度UEと基地局との間の通信が妨げられるという従来技術の課題と比べて、本発明では、取得モジュールが取得したサブバンドリソース情報をUEの決定モジュールが使用して、サブバンドリソースを決定し、その結果、伝送モジュールは、サブバンドリソースに従ってデータおよび／または制御情報を送信できる。この場合、動作帯域幅がキャリア帯域幅未満である場合に、UEは、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０１０５】
本発明におけるサブバンドリソースは、サブバンドであってもよいし、サブバンドの中心サブキャリアであってもよいことに留意すべきである。
【０１０６】
サブバンドは、少なくとも1つのリソースブロック（Resource Block、RB）または物理リソースブロック（Physical Resource Block、PRB）を含み得る。本発明では、RBとPRBとは交換可能である。RB／PRBは、時間−周波数の2次元概念である。RB／PRBは、周波数領域において少なくとも1つのサブキャリアを占有し、時間領域において少なくとも1つのタイムスロットを占有する。説明を容易にするために、本発明におけるキャリアおよびサブバンドについては、周波数次元のみを表現する。
【０１０７】
図3（a）に示すように、図3（a）のサブバンドは、6の（偶数の）PRBと、1つのキャリアからなる中心サブキャリアとを含み、各PRBは、12のサブキャリアを含む。中心サブキャリアは、直流サブキャリア、中心周波数、および直流周波数とも呼ばれることが理解できよう。
【０１０８】
図3（b）に示すように、図3（b）のサブバンドは、15の（奇数の）PRBと、1つのキャリアからなる中心サブキャリアとを含み、各PRBは、12のサブキャリアを含む。キャリアの中心サブキャリアの2つの側のサブキャリアは対称であるため、7の番号を付与した第8のPRBは、キャリアの中心サブキャリアによって、等しい周波数を有する2つの半分のPRBへと分割される。
【０１０９】
本発明におけるサブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用されることにさらに留意すべきである。
【０１１０】
あるいは、サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される。
【０１１１】
あるいは、サブバンドリソース情報は、サブバンド決定方式とサブバンドインデックスとを含み、サブバンド決定方式は、帯域幅におけるサブバンドの形成方式を指定し、サブバンドインデックスは、帯域幅におけるサブバンドの番号である。
【０１１２】
サブバンドリソース情報が、特定の周波数情報と第1のオフセットパラメータとを含む場合、特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、第1のオフセットパラメータは、第1のオフセットのサブキャリアの数、第1のオフセットの周波数の値、または第1のオフセットのリソースブロックの数のうちの1つ以上を示す。
【０１１３】
さらに場合により、図4に示すように、本発明は、サブバンドリソースを決定するための装置40をさらに提供する。装置40は、受信モジュール204と番号付与モジュール205とをさらに含む。取得モジュール201は、受信ユニット2011と決定ユニット2012とをさらに含む。
【０１１４】
受信モジュール204は、基地局が送信した第1のシグナリングを受信し、第1のシグナリングを決定モジュール202に提供するように構成される。第1のシグナリングは、特定の周波数情報と第1のオフセットとを用いてサブバンドリソースを決定する第1の特定の方式を示すために使用され、第1の特定の方式は、加算方式または減算方式である、または特定の周波数情報と第1のオフセットと第2のオフセットとを用いてサブバンドリソースを決定する第2の特定の方式を示すために使用され、第2の特定の方式は、加算方式または減算方式である。決定モジュール202は、サブバンドリソース情報と第1のシグナリングとを用いてサブバンドリソースを決定する。
【０１１５】
本発明におけるシグナリングは、無線リソース制御シグナリング、メディアアクセス制御シグナリング、または物理層シグナリングのうちの1つ以上であり得る。無線リソース制御シグナリングは、無線リソース制御共通シグナリングおよび／または無線リソース制御専用シグナリングであり得る。無線リソース制御共通シグナリングは、システム情報、システム情報ブロック、またはプライマリ情報ブロックのうちの1つ以上であり得る。無線リソース制御専用シグナリングは、初期ランダムアクセス応答または競合解消メッセージのうちの1つ以上で特にあり得る。メディアアクセス制御シグナリングは、メディアアクセス制御における制御要素であり得る。物理層シグナリングは、制御情報を運ぶ制御チャネルであり得る。例えば、制御チャネルは、ランダムアクセス応答の制御情報をスケジューリングする制御チャネルまたは競合解消メッセージの制御情報をスケジューリングする制御チャネルである。本発明における第1のシグナリングおよび以下に登場する第2のシグナリングおよび第3のシグナリングのそれぞれは、先述のタイプのシグナリングのうちの1つである。
【０１１６】
これに伴い、決定モジュール202は、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【０１１７】
さらに場合により、決定モジュール202は、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【０１１８】
さらに場合により、サブバンドリソース情報が、サブバンド決定方式とサブバンドインデックスとを含む場合、サブバンド決定方式では、サブバンド決定方式1またはサブバンド決定方式2が使用される。
【０１１９】
サブバンド決定方式1：番号付与モジュール205は、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与する。
【０１２０】
例えば、サブバンドリソースのキャリアの中心サブキャリアの左側に配置されたすべてのサブバンド（すなわち、周波数が、キャリアの中心サブキャリアの周波数未満である周波数リソース）に、低い周波数から高い周波数まで順に番号付与し、次いで、サブバンドリソースのキャリアの中心サブキャリアの右側に配置されたすべての番号付与されていないサブバンド（すなわち、周波数がキャリアの中心サブキャリアの周波数よりも高い周波数リソース）に、低い周波数から高い周波数まで順に番号付与する。
【０１２１】
別の例では、サブバンドリソースのキャリアの中心サブキャリアの右側に配置されたすべてのサブバンド（すなわち、周波数が、キャリアの中心サブキャリアの周波数よりも高い周波数リソース）に、高い周波数から低い周波数まで順に番号付与し、次いで、サブバンドリソースのキャリアの中心サブキャリアの左側に配置されたすべての番号付与されていないサブバンド（すなわち、周波数がキャリアの中心サブキャリアの周波数未満である周波数リソース）に、高い周波数から低い周波数まで順に番号付与する。
【０１２２】
サブバンド決定方式2：番号付与モジュール205は、キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。
【０１２３】
場合により、任意のサブバンド決定方式で、サブバンドのサブバンドリソースがキャリアの中心サブキャリアの2つの側に配置される場合、サブバンドを中心サブバンドと呼ぶ。サブバンドのサブバンドリソースがキャリアの中心サブキャリアの2つの側に配置されていない場合、サブバンドを非中心サブバンドと呼ぶ。中心サブバンドは、第1のサブバンド（すなわち、0の番号を付与）として使用されてもよいし、最後のサブバンドとして番号付与されてもよいし、非中心サブバンドと同じ方法を用いて番号付与されてもよいし、デフォルトサブバンドとして使用されてもよい。デフォルトサブバンドは、0の番号を付与される、またはデフォルトサブバンドは、サブバンドの番号付与に加わらない。
【０１２４】
さらに場合により、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用される。
【０１２５】
決定モジュール202は、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【０１２６】
本発明の本実施形態では、システム帯域幅に従って第4のオフセットパラメータの固定値を事前に設定し得る。
【０１２７】
例えば、値を決定する方式は、
システム帯域幅が1．4MHzである場合、第4のオフセットは0、および／または
システム帯域幅が3MHzである場合、第4のオフセットは1．5RB、および／または
システム帯域幅が5MHzである場合、第4のオフセットは0．5RB、および／または
システム帯域幅が10MHzである場合、第4のオフセットは1RB、および／または
システム帯域幅が15MHzである場合、第4のオフセットは1．5RB、および／または
システム帯域幅が20MHzである場合、第4のオフセットは2RBである。
【０１２８】
値を決定する別の方式は、
システム帯域幅が1．4MHzである場合、第4のオフセットは0、および／または
システム帯域幅が3MHzである場合、キャリアの中心サブキャリアの左側（または右側）の第4のオフセットは0、かつキャリアの中心サブキャリアの右側（または左側）の第4のオフセットは3RB、および／または
システム帯域幅が5MHzである場合、キャリアの中心サブキャリアの左側（または右側）の第4のオフセットは0、かつキャリアの中心サブキャリアの右側（または左側）の第4のオフセットは1RB、および／または
システム帯域幅が10MHzである場合、キャリアの中心サブキャリアの左側（または右側）の第4のオフセットは0、かつキャリアの中心サブキャリアの右側（または左側）の第4のオフセットは2RB、および／または
システム帯域幅が15MHzである場合、キャリアの中心サブキャリアの左側（または右側）の第4のオフセットは0、かつキャリアの中心サブキャリアの右側（または左側）の第4のオフセットは3RB、および／または
システム帯域幅が20MHzである場合、キャリアの中心サブキャリアの左側（または右側）の第4のオフセットは0、かつキャリアの中心サブキャリアの右側（または左側）の第4のオフセットは4RBである。
【０１２９】
場合により、第4のオフセットによって示される（キャリアの中心サブキャリアの左側と右側とを含む）オフセット範囲内のRBは、いかなるサブバンドにも属さない。
【０１３０】
場合により、第4のオフセットによって示される（キャリアの中心サブキャリアの左側と右側とを含む）オフセット範囲内のRBは、特別なサブバンドを形成し得る（特別なサブバンドに含まれるRBの数は、サブバンドに含まれるRBの数未満である）。
【０１３１】
場合により、第1のシステム帯域幅セットでは、第4のオフセットによって示される（キャリアの中心サブキャリアの左側と右側とを含む）オフセット範囲内のRBは、特別なサブバンドを形成し得、第2のシステム帯域幅セットでは、第4のオフセットによって示される（キャリアの中心サブキャリアの左側と右側とを含む）オフセット範囲内のRBは、いかなるサブバンドにも属さない。第1のシステム帯域幅セットに含まれる帯域幅は、第2のシステム帯域幅セットに含まれる帯域幅とは異なる。例えば、第1のシステム帯域幅セットは、3MHz、5MHz、10MHz、15MHz、および20MHzシステム帯域幅を含み、第2のシステム帯域幅セットは、1．4MHzのシステム帯域幅を含む。
【０１３２】
システム帯域幅が1．4MHzである場合、特別なサブバンドは存在せず、
システム帯域幅が3MHzである場合、特別なサブバンドは3つのRBを含み、
システム帯域幅が5MHzである場合、特別なサブバンドは1つのRBを含み、
システム帯域幅が10MHzである場合、特別なサブバンドは2つのRBを含み、
システム帯域幅が15MHzである場合、特別なサブバンドは3つのRBを含み、
システム帯域幅が20MHzである場合、特別なサブバンドは4つのRBを含む。
【０１３３】
別の例では、第1のシステム帯域幅セットは、5MHz、10MHz、15MHz、および20MHzのシステム帯域幅を含み、第2のシステム帯域幅セットは、1．4MHzおよび3MHzのシステム帯域幅を含む。
【０１３４】
場合により、第5のオフセットは、0である。決定されたサブバンドが下りリンクサブバンドである場合、第5のオフセットは、0に等しい。決定されたサブバンドが上りリンクサブバンドである場合、第5のオフセットの値は、より上位層のシグナリングを用いて設定される。
【０１３５】
本発明では、オフセットパラメータの値が常に0である場合、そのようなオフセットパラメータが存在しない、または導入（または定義）する必要がないことを示していることに留意すべきである。さらに、本発明では、キャリアが、直流サブキャリアを有する場合、キャリアの中心サブキャリアは、キャリアの直流サブキャリアまたはキャリアの中心周波数である。キャリアが直流サブキャリアを持たない場合、キャリアの中心サブキャリアは、キャリアの中心周波数である。
【０１３６】
さらに場合により、決定モジュール202は、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【０１３７】
さらに場合により、サブバンドリソースはサブバンドであり、サブバンドが2M＋2個のサブキャリアを含み、Mが0よりも大きい整数である場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【０１３８】
さらに場合により、取得モジュール201は、2つの方式でサブバンドリソース情報を取得する。
【０１３９】
第1の方式：取得モジュール201の受信ユニット2011は、基地が送信した第2のシグナリングを受信し、第2のシグナリングからサブバンドリソース情報を取得する。
【０１４０】
第2の方式：取得モジュール201の決定ユニット2012は、予め指定された方式でサブバンドリソース情報を決定する。
【０１４１】
予め指定された方式は、標準的な方式および／またはシステムが指定した方式であり得る。
【０１４２】
さらに場合により、受信モジュール204は、基地局が送信した第3のシグナリングを受信し、第3のシグナリングを決定モジュール202に提供するようにさらに構成され、第3のシグナリングは、下りリンクサブバンドリソースと上りリンクサブバンドリソースとの間の複信間隔を示し、サブバンドリソースが下りリンクサブバンドリソースである場合、決定モジュール202は、下りリンクサブバンドリソースと複信間隔とに従って上りリンクサブバンドリソースを決定する、またはサブバンドリソースが上りリンクサブバンドリソースである場合、決定モジュール202、上りリンクサブバンドリソースと複信間隔とに従って下りリンクサブバンドリソースを決定する。
【０１４３】
本発明では、複信間隔は、シグナリングを用いて、または予め指定された方式で構成され得る。
【０１４４】
本発明では、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０１４５】
場合により、図5に示すように、本発明は、サブバンドリソースを決定するための別の装置50をさらに提供し得る。装置50は、基地局に適用される。装置50のサブバンドリソースは、サブバンドにおけるリソースである。サブバンドは、帯域幅内にあり、動作帯域幅を有する、周波数リソースである。帯域幅は、下りリンク帯域幅または上りリンク帯域幅である。動作帯域幅は、帯域幅未満である。装置50は、取得モジュール501と、決定モジュール502と、伝送モジュール503とを含む。
【０１４６】
取得モジュール501は、サブバンドリソース情報を取得し、サブバンドリソース情報を決定モジュール502に提供するように構成され、サブバンドリソース情報は、サブバンドリソースを決定するための情報を含む。
【０１４７】
決定モジュール502は、サブバンドリソース情報に従って、サブバンドリソースを決定し、サブバンドリソースを伝送モジュール503に提供するように構成される。
【０１４８】
伝送モジュール503は、サブバンドリソースに従って、データおよび／または制御情報を送信するように構成される。
【０１４９】
本発明は、サブバンドリソースを決定するための装置を提供する。低複雑度UEは、キャリア上の動作帯域幅内のデータだけしか送信または受信できず、また低複雑度UEは、帯域幅内のどの動作帯域幅サイズの帯域幅が、低複雑度UEに関わるデータを送信するために使用される帯域幅であるかを知ることができないために、低複雑度UEと基地局との間の通信が妨げられるという従来技術の課題と比べて、本発明では、取得モジュールが取得したサブバンドリソース情報を基地局の決定モジュールが使用して、サブバンドリソースを決定し、その結果、伝送モジュールは、サブバンドリソースに従ってデータおよび／または制御情報を送信する。この場合、動作帯域幅がキャリア帯域幅未満である場合に、基地局は、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０１５０】
本発明におけるサブバンドリソースは、サブバンドであってもよいし、サブバンドの中心サブキャリアであってもよいことに留意すべきである。
【０１５１】
本発明におけるサブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用されることにさらに留意すべきである。
【０１５２】
あるいは、サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される。
【０１５３】
あるいは、サブバンドリソース情報は、サブバンド決定方式とサブバンドインデックスとを含み、サブバンド決定方式は、帯域幅におけるサブバンドの形成方式を指定し、サブバンドインデックスは、帯域幅におけるサブバンドの番号である。
【０１５４】
サブバンドリソース情報が、特定の周波数情報と第1のオフセットパラメータとを含む場合、特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上であり、第1のオフセットパラメータは、第1のオフセットのサブキャリアの数、第1のオフセットの周波数の値、または第1のオフセットのリソースブロックの数のうちの1つ以上を示す。
【０１５５】
さらに場合により、図6に示すように、本発明は、サブバンドリソースを決定するための装置60をさらに提供する。装置60は、生成モジュール504と送信モジュール505と番号付与モジュール506とをさらに含む。取得モジュール501は、生成ユニット5011と決定ユニット5012とを含む。
【０１５６】
生成モジュール504は、特定の周波数情報と第1のオフセットとを用いてサブバンドリソースを決定する第1の特定の方式を示すために使用される第1のシグナリングを生成する、および／または特定の周波数情報と第1のオフセットと第2のオフセットとを用いてサブバンドリソースを決定する第2の特定の方式を示すために使用される第1のシグナリングを生成し、第1の特定の方式は、加算方式または減算方式であり、第2の特定の方式は、加算方式または減算方式であり、第1のシグナリングを生成し、第1のシグナリングは、第1の特定の方式および／または第2の特定の方式を示すように構成される。
【０１５７】
決定モジュール502は、サブバンドリソース情報、第1の特定の方式、および／または第2の特定の方式に従ってサブバンドリソースを決定する。
【０１５８】
送信モジュール505は、第1のシグナリングをユーザ機器UEに送信する。
【０１５９】
これに伴い、決定モジュール502は、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【０１６０】
さらに場合により、決定モジュール502は、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【０１６１】
さらに場合により、サブバンドリソース情報が、サブバンド決定方式とサブバンドインデックスとを含む場合、サブバンド決定方式では、サブバンド決定方式1またはサブバンド決定方式2が使用される。
【０１６２】
サブバンド決定方式1：番号付与モジュール506は、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与する。
【０１６３】
サブバンド決定方式2：番号付与モジュール506は、キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。
【０１６４】
サブバンド決定方式1およびサブバンド決定方式2の関連説明は、サブバンドリソースを決定するための先述の装置40の関連説明と同じであり、ここでは細部を説明しない。
【０１６５】
さらに場合により、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用される。
【０１６６】
決定モジュール502は、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【０１６７】
第4のオフセットパラメータの関連説明は、サブバンドリソースを決定するための先述の装置40の関連説明と同じであり、ここでは細部を説明しない。
【０１６８】
さらに場合により、決定モジュール502は、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【０１６９】
さらに場合により、サブバンドリソースはサブバンドであり、サブバンドが2M＋2個のサブキャリアを含み、Mが0よりも大きい整数である場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【０１７０】
さらに場合により、取得モジュール501は、2つの方式でサブバンドリソース情報を取得する。
【０１７１】
第1の方式：取得モジュール501の生成ユニット5011は、サブバンドリソース情報を生成する。
【０１７２】
第2の方式：取得モジュール501の決定ユニット5012は、予め指定された方式でサブバンドリソース情報を決定する。
【０１７３】
これに伴い、送信モジュール505は、サブバンドリソース情報を運ぶ第2のシグナリングをUEに送信する。
【０１７４】
さらに場合により、決定モジュール502は、下りリンクサブバンドリソースと上りリンクサブバンドリソースとの間の複信間隔を決定するようにさらに構成される。この場合、生成モジュール504は、第3のシグナリングを生成し、第3のシグナリングを送信モジュール505に提供する。送信モジュール505は、複信間隔を運ぶ第3のシグナリングをUEに送信する。
【０１７５】
加えて、決定モジュール502は、サブバンドリソースが下りリンクサブバンドリソースである場合、下りリンクサブバンドリソースと複信間隔とに従って上りリンクサブバンドリソースを決定する、またはサブバンドリソースが上りリンクサブバンドリソースである場合、下りリンクサブバンドリソースと複信間隔とに従って下りリンクサブバンドリソースを決定するようにさらに構成される。
【０１７６】
本発明では、基地局は、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、基地局は、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０１７７】
図7に示すように、本発明は、サブバンドリソースを決定するための装置をさらに提供する。図7は、UEのハードウェア構造の概略図である。UEは、メモリ701と、プロセッサ702と、送受信機703とを含み得る。
【０１７８】
メモリ701は、読み出し専用メモリ（Read Only Memory、ROM）、静的記憶装置、動的記憶装置、またはランダムアクセスメモリ（Random Access Memory、RAM）とすることができる。メモリ701は、オペレーティングシステムと別のアプリケーションプログラムとを記憶してもよい。ソフトウェアおよびファームウェアを用いて本発明の本実施形態で提供される技術的解決策を実装する場合、本発明の本実施形態で提供される技術的解決策を実装するためのプログラムコードをメモリ701に記憶し、プロセッサ702で実行する。
【０１７９】
プロセッサ702は、一般的な中央処理装置（Central Processing Unit、CPU）、マイクロプロセッサ、特定用途向け集積回路（Application Specific Integrated Circuit、ASIC）、または1つ以上の集積回路としてよく、関連するプログラムを実行して、本発明の本実施形態で提供される技術的解決策を実装するように構成される。
【０１８０】
送受信機703は、装置と別の装置または通信ネットワーク（例えば、限定するものではないが、イーサネット（登録商標）、無線アクセスネットワーク（Radio Access Network、RAN）、または無線ローカルエリアネットワーク（Wireless Local Area Network、WLAN））との間の通信のために使用される。図7に示すハードウェアには、メモリ701、送受信機703、およびプロセッサ702のみを示しているが、具体的な実施プロセスにおいて、端末が正常な動作を実現するために不可欠な別の装置をさらに含むことを当業者が理解すべきであることに留意すべきである。加えて、具体的な要件に応じて、端末は、別の機能を実現するためのハードウェア装置をさらに含み得ることを当業者が理解すべきである。
【０１８１】
具体的には、図7に示す基地局が、図2および図4の実施形態に示す装置を実施するように構成される場合、装置のプロセッサ702は、メモリ701と送受信機703とに接続されるように構成され、プログラム命令の実行を制御するように構成され、サブバンドリソース情報を取得し、サブバンドリソース情報は、サブバンドリソースを決定するための情報を含み、サブバンドリソース情報に従ってサブバンドリソースを決定するように特に構成される。
【０１８２】
送受信機703は、サブバンドリソースに従って、データおよび／または制御情報を送信するように構成される。
【０１８３】
サブバンドリソースはサブバンドである。あるいは、サブバンドリソースは、サブバンドの中心サブキャリアである。
【０１８４】
サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される。
【０１８５】
あるいは、サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される。
【０１８６】
あるいは、サブバンドリソース情報は、サブバンド決定方式とサブバンドインデックスとを含み、サブバンド決定方式は、帯域幅におけるサブバンドの形成方式を指定し、サブバンドインデックスは、帯域幅におけるサブバンドの番号である。
【０１８７】
サブバンドリソース情報が、特定の周波数情報と第1のオフセットパラメータとを含む場合、特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上である。
【０１８８】
第1のオフセットパラメータは、第1のオフセットのサブキャリアの数、第1のオフセットの周波数の値、または第1のオフセットのリソースブロックの数のうちの1つ以上を示す。
【０１８９】
さらに場合により、プロセッサ702は、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【０１９０】
これに伴い、送受信機703は、基地局が送信した第1のシグナリングを受信し、第1のシグナリングをプロセッサ702に提供するようにさらに構成され、第1のシグナリングは、特定の周波数情報と第1のオフセットとを用いてサブバンドリソースを決定する第1の特定の方式を示すために使用され、第1の特定の方式は、加算方式または減算方式である、または特定の周波数情報と第1のオフセットと第2のオフセットとを用いてサブバンドリソースを決定する第2の特定の方式を示すために使用され、第2の特定の方式は、加算方式または減算方式である。プロセッサ702は、サブバンドリソース情報と第1のシグナリングとを用いてサブバンドリソースを決定する。
【０１９１】
さらに場合により、プロセッサ702は、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【０１９２】
さらに場合により、サブバンドリソース情報が、サブバンド決定方式とサブバンドインデックスとを含む場合、サブバンド決定方式では、サブバンド決定方式1またはサブバンド決定方式2が使用される。
【０１９３】
サブバンド決定方式1：プロセッサ702は、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与する。
【０１９４】
サブバンド決定方式2：プロセッサ702は、キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。
【０１９５】
サブバンド決定方式1およびサブバンド決定方式2の関連説明は、サブバンドリソースを決定するための先述の装置40の関連説明と同じであり、ここでは細部を説明しない。
【０１９６】
さらに場合により、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用される。
【０１９７】
プロセッサ702は、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【０１９８】
第4のオフセットパラメータの関連説明は、サブバンドリソースを決定するための先述の装置40の関連説明と同じであり、ここでは細部を説明しない。
【０１９９】
さらに場合により、プロセッサ702は、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【０２００】
さらに場合により、サブバンドリソースはサブバンドであり、サブバンドが2M＋2個のサブキャリアを含み、Mが0よりも大きい整数である場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【０２０１】
さらに場合により、送受信機703は、基地が送信した第2のシグナリングを受信し、第2のシグナリングからサブバンドリソース情報を取得するようにさらに構成される。
【０２０２】
プロセッサ702は、予め指定された方式でサブバンドリソース情報を決定するようにさらに構成される。
【０２０３】
さらに場合により、送受信機703は、基地局が送信した第3のシグナリングを受信し、第3のシグナリングをプロセッサ702に提供するようにさらに構成され、第3のシグナリングは、下りリンクサブバンドリソースと上りリンクサブバンドリソースとの間の複信間隔を示す。
【０２０４】
プロセッサ702は、サブバンドリソースが下りリンクサブバンドリソースである場合、下りリンクサブバンドリソースと複信間隔とに従って上りリンクサブバンドリソースを決定する、またはサブバンドリソースが上りリンクサブバンドリソースである場合、上りリンクサブバンドリソースと複信間隔とに従って下りリンクサブバンドリソースを決定するようにさらに構成される。
【０２０５】
場合により、通信接続は、バスを用いて、メモリ701、プロセッサ702、および送受信機703の間でさらに行われる。バスは、装置のコンポーネント（メモリ701、プロセッサ702、および送受信機703など）間で情報を転送するための経路を含み得る。
【０２０６】
本発明では、基地局は、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、UEは、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０２０７】
図8に示すように、本発明は、サブバンドリソースを決定するための装置をさらに提供する。図8は、基地局のハードウェア構造の概略図である。基地局は、メモリ801と、プロセッサ802と、送受信機803とを含み得る。
【０２０８】
装置のメモリ801、プロセッサ802、および送受信機803の共通機能の一般的な説明については、図7のUEに含まれるメモリ701、プロセッサ702、および送受信機703の説明を参照されたく、ここでは細部を一つずつ説明しない。
【０２０９】
図8に示すハードウェアには、メモリ801、プロセッサ802、および送受信機803のみを示しているが、具体的な実施プロセスにおいて、端末が正常な動作を実現するために不可欠な別の装置をさらに含むことを当業者が理解すべきであることに留意すべきである。加えて、具体的な要件に応じて、端末は、別の機能を実現するためのハードウェア装置をさらに含み得ることを当業者が理解すべきである。
【０２１０】
具体的には、図8に示す基地局が、図5および図6の実施形態に示す装置を実施するように構成される場合、装置のプロセッサ802は、メモリ801と送受信機803とに接続され、プログラム命令の実行を制御するように構成され、サブバンドリソース情報を取得し、サブバンドリソース情報は、サブバンドリソースを決定するための情報を含み、サブバンドリソース情報に従ってサブバンドリソースを決定するように特に構成される。
【０２１１】
送受信機803は、サブバンドリソースに従って、データおよび／または制御情報を送信するように構成される。
【０２１２】
サブバンドリソースはサブバンドである。あるいは、サブバンドリソースは、サブバンドの中心サブキャリアである。
【０２１３】
サブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用される。
【０２１４】
あるいは、サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される。
【０２１５】
あるいは、サブバンドリソース情報は、サブバンド決定方式とサブバンドインデックスとを含み、サブバンド決定方式は、帯域幅におけるサブバンドの形成方式を指定し、サブバンドインデックスは、帯域幅におけるサブバンドの番号である。
【０２１６】
サブバンドリソース情報が、特定の周波数情報と第1のオフセットパラメータとを含む場合、特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上である。
【０２１７】
第1のオフセットパラメータは、第1のオフセットのサブキャリアの数、第1のオフセットの周波数の値、または第1のオフセットのリソースブロックの数のうちの1つ以上を示す。
【０２１８】
さらに場合により、プロセッサ802は、帯域幅に含まれるリソースブロックの数が奇数である場合、特定の周波数情報と、第1のオフセットパラメータと、第2のオフセットパラメータとに従って、サブバンドリソースを決定するようにさらに構成され、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【０２１９】
これに伴い、プロセッサ802は、特定の周波数情報と第1のオフセットとを用いてサブバンドリソースを決定する第1の特定の方式を示すために使用される第1のシグナリングを生成する、および／または特定の周波数情報と第1のオフセットと第2のオフセットとを用いてサブバンドリソースを決定する第2の特定の方式を示すために使用される第1のシグナリングを生成し、第1の特定の方式は、加算方式または減算方式であり、第2の特定の方式は、加算方式または減算方式であり、第1のシグナリングを生成し、第1のシグナリングは、第1の特定の方式および／または第2の特定の方式を示し、サブバンドリソース情報、第1の特定の方式、および／または第2の特定の方式に従ってサブバンドリソースを決定するようにさらに構成される。送受信機803は、第1のシグナリングをUEに送信する。
【０２２０】
さらに場合により、プロセッサ802は、サブバンドリソース情報が、第1のパラメータと第2のパラメータとを含む場合、第1のパラメータと第2のパラメータと第3のオフセットパラメータとに従ってサブバンドリソースを決定するようにさらに構成され、サブバンドリソース情報は、第3のオフセットパラメータをさらに含み、第3のオフセットパラメータは、サブバンドの中心サブキャリアのオフセットを決定するために使用される。
【０２２１】
さらに場合により、サブバンドリソース情報が、サブバンド決定方式とサブバンドインデックスとを含む場合、サブバンド決定方式では、サブバンド決定方式1またはサブバンド決定方式2が使用される。
【０２２２】
サブバンド決定方式1：プロセッサ802は、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与する。
【０２２３】
サブバンド決定方式2：プロセッサ802は、キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。
【０２２４】
サブバンド決定方式1およびサブバンド決定方式2の関連説明は、サブバンドリソースを決定するための先述の装置40の関連説明と同じであり、ここでは細部を説明しない。
【０２２５】
さらに場合により、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用される。
【０２２６】
プロセッサ802は、サブバンド決定方式とサブバンドインデックスと第4のオフセットパラメータとに従ってサブバンドリソースを決定する、またはサブバンド決定方式とサブバンドインデックスと第5のオフセットパラメータとに従ってサブバンドリソースを決定する、またはサブバンド決定方式とサブバンドインデックスと第4のオフセットパラメータと第5のオフセットパラメータとに従ってサブバンドリソースを決定するようにさらに構成される。
【０２２７】
第4のオフセットパラメータの関連説明は、サブバンドリソースを決定するための先述の装置40の関連説明と同じであり、ここでは細部を説明しない。
【０２２８】
さらに場合により、プロセッサ802は、サブバンドインデックスが第1の閾値よりも大きいおよび／または等しい場合、サブバンドリソース情報と第6のオフセットパラメータとに従ってサブバンドリソースを決定し、サブバンドリソース情報は、第6のオフセットパラメータをさらに含み、第6のオフセットパラメータは、サブバンドの中心サブキャリアを決定するために使用される、またはサブバンドインデックスが第1の閾値未満である場合、サブバンドリソース情報と第6のオフセットパラメータとに従ってサブバンドリソースを基地局が決定する、またはサブバンドインデックスが偶数である場合、サブバンドリソース情報と第6のオフセットパラメータとに従ってサブバンドリソースを決定する、またはサブバンドインデックスが奇数である場合、サブバンドリソース情報と第6のオフセットパラメータとに従ってサブバンドリソースを決定するようにさらに構成される。
【０２２９】
さらに場合により、サブバンドリソースはサブバンドであり、サブバンドが2M＋2個のサブキャリアを含む場合、
サブバンドの1つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、もしくはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む、または
サブバンドの2つのサブキャリアをサブバンドの中心サブキャリアとして使用し、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【０２３０】
さらに場合により、プロセッサ802は、サブバンドリソース情報を生成し、予め指定された方式でサブバンドリソース情報を決定するようにさらに構成される。
【０２３１】
送受信機803は、サブバンドリソース情報を運ぶ第2のシグナリングをUEに送信するようにさらに構成される。
【０２３２】
さらに場合により、プロセッサ802は、下りリンクサブバンドリソースと上りリンクサブバンドリソースとの間の複信間隔を決定し、第3のシグナリングを生成し、第3のシグナリングを送受信機に提供するようにさらに構成される。
【０２３３】
送受信機803は、複信間隔を運ぶ第3のシグナリングをUEに送信するようにさらに構成される。
【０２３４】
プロセッサ802は、サブバンドリソースが下りリンクサブバンドリソースである場合、下りリンクサブバンドリソースと複信間隔とに従って上りリンクサブバンドリソースを決定する、またはサブバンドリソースが上りリンクサブバンドリソースである場合、下りリンクサブバンドリソースと複信間隔とに従って下りリンクサブバンドリソースを決定するようにさらに構成される。
【０２３５】
場合により、通信接続は、バスを用いて、メモリ801、プロセッサ802、および送受信機803の間でさらに行われる。バスは、装置のコンポーネント（メモリ801、プロセッサ802、および送受信機803など）間で情報を転送するための経路を含み得る。
【０２３６】
本発明では、基地局は、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、基地局は、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０２３７】
図9に示すように、本発明の一実施形態は、サブバンドリソースを決定するための方法を提供する。方法は、UEに適用される。方法におけるサブバンドリソースは、サブバンドにおけるリソースである。サブバンドは、帯域幅内にあり、動作帯域幅を有する、周波数リソースである。帯域幅は、下りリンク帯域幅または上りリンク帯域幅である。動作帯域幅は、帯域幅未満である。詳細は以下の通りである
【０２３８】
901：UEは、サブバンドリソース情報を取得し、サブバンドリソース情報は、サブバンドリソースを決定するための情報を含む。
【０２３９】
902：UEは、サブバンドリソース情報に従ってサブバンドリソースを決定する。
【０２４０】
903：UEは、サブバンドリソースに従って、データおよび／または制御情報を送信する。
【０２４１】
本発明は、サブバンドリソースを決定するための方法を提供する。低複雑度UEは、キャリア上の動作帯域幅内のデータだけしか送信または受信できず、また低複雑度UEは、帯域幅内のどの動作帯域幅サイズの帯域幅が、低複雑度UEに関わるデータを送信するために使用される帯域幅であるかを知ることができないために、低複雑度UEと基地局との間の通信が妨げられるという従来技術の課題と比べて、本発明では、UEが、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、UEは、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０２４２】
ステップ901におけるサブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用され得ることにさらに留意すべきである。
【０２４３】
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上である。説明を容易にするために、キャリアの中心サブキャリアを本発明における特定の周波数情報の説明のための例として使用する。
【０２４４】
例えば、キャリアの特定のサブキャリアは、インデックスがNDLPBB×（NRBSC／2）であるサブキャリア、またはインデックスがNDLPBB×（NRBSC／2）−1であるサブキャリアである。キャリアの特定のRBは、インデックスがNDLPBB／2であるRB、またはインデックスが（NDLPBB／2）−1であるRB、またはインデックスが0であるRB、またはインデックスがNDLPBB−1であるRBである。
【０２４５】
第1のオフセットパラメータは、第1のオフセットのサブキャリアの数、第1のオフセットの周波数の値、または第1のオフセットのリソースブロックの数のうちの1つ以上を示す。第1のオフセットサイズは、シグナリングを用いて構成され得る、またはサブバンドインデックスを用いて決定され得る。
【０２４６】
さらに場合により、サブバンドリソース情報は、第2のオフセットパラメータをさらに含み得る。第2のオフセットパラメータは、第2のオフセットがNのサブキャリア、またはNのサブキャリアの周波数リソース幅であることを示し、Nは、0以外の整数である。例えば、1つのRBは、12のサブキャリアを含み、Nは、5、6、または7のうちのいずれか1つであり得る。
【０２４７】
一般的に、第2のオフセットパラメータは、帯域幅に含まれるリソースブロックの数が奇数であるシナリオに適用される。キャリアのサブキャリアを効果的に使用するには、使用できないサブキャリアの数を減らすために、サブバンドにおける各RBの境界を、キャリアにおけるRBの境界と一致させる必要がある。
【０２４８】
さらに場合により、本発明の別の実施形態では、本発明は、UEによって、基地局が送信した第1のシグナリングを受信するステップをさらに含み、第1のシグナリングは、特定の周波数情報と第1のオフセットとを用いてサブバンドリソースを決定する第1の特定の方式を示すために使用され、第1の特定の方式は、加算方式または減算方式である。あるいは、第1のシグナリングは、特定の周波数情報と第1のオフセットと第2のオフセットとを用いてサブバンドリソースを決定する第2の特定の方式を示すために使用され、第2の特定の方式は、加算方式または減算方式である。
【０２４９】
第1の特定の方式は、プラス記号もしくはマイナス記号またはプラス／マイナス記号を意味する識別子などの情報として表現され得る。第1のシグナリングは、サブバンドインデックスをさらに含み得る。
【０２５０】
第1の特定の方式がプラス記号もしくはマイナス記号またはプラス／マイナス記号を意味する識別子などの情報である場合、UEは、第1の特定の方式において、特定の周波数情報と第1のオフセットとの間の加算関係または減算関係を直接決定し得る。第1のシグナリングがサブバンドインデックスを含む場合、UEは、サブバンドインデックスを用いて、周波数情報と第1のオフセットとの間の加算関係または減算関係を決定する必要がある。特定の周波数情報と第1のオフセットとの間の加算関係または減算関係を決定した後、UEは、サブバンドリソースをさらに決定できる。
【０２５１】
同様に、第2の特定の方式と第1の特定の方式とは同じ意味を有する。異なるのは、第2の特定の方式が、特定の周波数情報、第1のオフセット、および第2のオフセットの間の加算関係または減算関係を決定するために使用されることである。したがって、ここでは細部を一つずつ説明しない。
【０２５２】
これに伴い、図10（a）に示すように、帯域幅に含まれるRBの数が偶数である場合、サブバンドリソースは、特定の周波数情報と第1のオフセットパラメータとに従って決定される。
【０２５３】
UEは、特定の周波数情報を用いてキャリアの中心サブキャリアをまず決定し、第1のシグナリングを用いて第1の特定の方式を取得し、次いで、第1の特定の方式に従って、キャリアの中心サブキャリアから第1のオフセットをずらす（差し引く）ことによって取得したサブキャリアが、サブバンドの中心サブキャリアであると決定する。
【０２５４】
図10（b）に示すように、帯域幅に含まれるRBの数が奇数である場合、サブバンドリソースは、特定の周波数情報と第1のオフセットパラメータと第2のオフセットパラメータとに従って決定される。
【０２５５】
UEは、特定の周波数情報を用いてキャリアの中心サブキャリアをまず決定し、第1のシグナリングを用いて第2の特定の方式を取得し、次いで、第1の特定の方式に従って、キャリアの中心サブキャリアから第1のオフセットをずらす（差し引く）こと、次いで第2のオフセットをずらす（差し引く）ことによって取得したサブキャリアが、サブバンドの中心サブキャリアであると決定する。
【０２５６】
さらに場合により、サブバンドリソースがサブバンドである場合、UEは、サブバンドリソース情報にある特定の周波数情報、第1のオフセットパラメータ、および／または第2のオフセットパラメータを用いて、サブバンドの中心サブキャリアを決定できる。次に、UEは、サブバンドを決定する必要がある。UEは、サブバンドに含まれるサブキャリアの数を知っていることもある。したがって、サブバンドの中心サブキャリアを決定した後、サブバンドに含まれるサブキャリアの数を用いてサブバンドを決定する。
【０２５７】
サブバンドリソース（サブバンド）は、複数の方式で決定され、さらに3つの方式を挙げることができる。サブバンドが2M＋2個のサブキャリアを含み、Mが0よりも大きい整数であると仮定する。
【０２５８】
第1の方式：サブバンドの1つのサブキャリアをサブバンドの中心サブキャリアとして使用する場合、サブバンドリソース（サブバンド）は、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリアを含み得る。図11（a）に示すように、サブバンドは、72のサブキャリアを含むと仮定する。第1の方式では、サブバンドmは、周波数がサブバンドmの中心サブキャリアの周波数未満である35のサブキャリア、周波数がサブバンドmの中心サブキャリアの周波数よりも大きい36のサブキャリア、およびサブバンドmの中心サブキャリアを含むことが得られる。
【０２５９】
第2の方式：サブバンドの1つのサブキャリアをサブバンドの中心サブキャリアとして使用する場合、サブバンドリソース（サブバンド）は、代替的に、サブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを代替的に含み得る。図11（b）に示すように、サブバンドは、72のサブキャリアを含むと仮定する。第2の方式では、サブバンドmは、周波数がサブバンドmの中心サブキャリアの周波数未満である36のサブキャリア、周波数がサブバンドmの中心サブキャリアの周波数よりも大きい35のサブキャリア、およびサブバンドmの中心サブキャリアを含むことが得られる。
【０２６０】
第3の方式：サブバンドの2つのサブキャリアをサブバンドの中心サブキャリアとして使用する場合、サブバンドリソース（サブバンド）は、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含み得る。図11（c）に示すように、サブバンドは、72のサブキャリアを含むと仮定する。第3の方式では、サブバンドmは、周波数がサブバンドmの1つの中心サブキャリアの周波数未満である35のサブキャリア、周波数がサブバンドmの2つの中心サブキャリアの周波数よりも大きい35のサブキャリア、およびサブバンドmの中心サブキャリアを含むことが得られる。
【０２６１】
場合により、ステップ901におけるサブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される。
【０２６２】
第1のパラメータは、どのサブキャリアがサブバンドの中心サブキャリアとして使用されるかを示す。1つのサブキャリアまたは複数のサブキャリアが、サブバンドの中心サブキャリアとして使用され得る。第1のパラメータは、1つ以上のビットを含む。
【０２６３】
本発明では、サブキャリアk1またはサブキャリアk2のうちの1つが、サブバンドの中心サブキャリアとして予め設定され得る。サブキャリアk1とサブキャリアk2とは異なるサブキャリアである。例えば、サブキャリアk1は、RBにおける第1のサブキャリアであり、サブキャリアk2は、RBにおける最後のサブキャリアである。あるいは、サブキャリアk1は、RBにおける第6のサブキャリアであり、サブキャリアk2は、RBにおける第7のサブキャリアである。あるいは、帯域幅に含まれるRBの数が偶数である場合、サブキャリアk1は、RBにおける第1のサブキャリアであり、サブキャリアk2は、RBにおける最後のサブキャリアである。あるいは、帯域幅に含まれるRBの数が奇数である場合、サブキャリアk1は、RBにおける第6のサブキャリアであり、サブキャリアk2は、RBにおける第7のサブキャリアである。
【０２６４】
場合により、第1のパラメータは、1つのビットを含む。第1のパラメータのビット状態は、0および1であり得る。0（または1）は、サブキャリアk1がサブバンドの中心サブキャリアであることを表す。第1のパラメータのビット状態1（または0）は、決定されたRBのサブキャリアk2がサブバンドの中心サブキャリアであることを表す。
【０２６５】
さらに場合により、サブバンドリソース情報は、第3のオフセットパラメータをさらに含み、第3のオフセットパラメータは、サブバンドの中心サブキャリアのオフセットを決定するために使用される。
【０２６６】
第3のオフセットパラメータは、offset3とマークされ、offset3は、定数であり得る。例えば、offset3＝1またはoffset3＝−1である。
【０２６７】
場合により、第1のパラメータは、2つのビットを含む。第1のパラメータのビット状態は、00、01、10、または11であり得る。00は、サブキャリアk1がサブバンドの中心サブキャリアであることを表し、01は、サブキャリアk2がサブバンドの中心サブキャリアであることを表し、10は、サブキャリアk1とサブキャリアk1マイナスoffset3がサブバンドの中心サブキャリアであることを表し、11は、サブキャリアk2とサブキャリアk2プラスoffset3がサブバンドの中心サブキャリアであることを表す。
【０２６８】
第2のパラメータは、サブバンドの中心サブキャリアが配置されるRBを示す。第2のパラメータは、どのNRBRBのRBが、サブバンドの中心サブキャリアが配置されるRBであるかを示し得る。サブバンドの中心サブキャリアは、1つ以上のRBに配置され得る。NRB＝NDLRBであり、NDLRBは、キャリアまたはサブバンドに含まれるRBの数である。あるいは、NRBは、予め設定された整数である。例えば、NDLRB＝100であり、NRB＝100である。第2のパラメータは、7つのビットを含み得る。第2のパラメータは、どの100RBのRBが、サブバンドの中心サブキャリアが配置されるRBであるかを示し得る。別の例では、NDLRB＝100であるがNRB＝16である。16RBは、100RBの16の特定のRBである。第2のパラメータは、4つのビットを含み、また第2のパラメータは、どの16RBのRBが、サブバンドの中心サブキャリアが配置されるRBであるかを示し得る。
【０２６９】
図12に示すように、第1のパラメータは、決定されたRBの第1のサブキャリアがサブバンドの中心サブキャリアであることを示す。第2のパラメータは、サブバンドの中心サブキャリアが配置されるRBが、インデックスが4であるRBであること、すなわち、決定されたRBが、インデックスが4であるRBであることを示す。この場合、UEは、サブバンドの中心サブキャリアが、インデックスが4のRBにおける第1のサブキャリアであることを決定する。
【０２７０】
場合により、ステップ901におけるサブバンドリソース情報は、サブバンド決定方式とサブバンドインデックスとを含み、サブバンド決定方式は、帯域幅におけるサブバンドの形成方式を指定し、サブバンドインデックスは、帯域幅におけるサブバンドの番号である。
【０２７１】
本発明では、サブバンドは、複数の方式で決定される。いくつかの方式を本明細書に挙げる。
【０２７２】
サブバンド決定方式1：UEは、キャリアの中心サブキャリアの一方の側から開始して、サブバンドに番号付与し、キャリアの中心サブキャリアの上記側にある利用可能なサブバンドへの番号付与が完了した後、キャリアの中心サブキャリアの他方の側からサブバンドに番号付与する。図13（a）に示すように、または図13（b）に示すように、DC0は、キャリアの中心サブキャリアである。図13（a）／図13（b）は、4つのサブバンドを示し、各サブバンドは、6つのRBを含む。図13（a）では、DC0付近のサブバンドが番号付与を開始される。図13（b）では、DC0から離れたサブバンドが番号付与を開始される。
【０２７３】
例えば、サブバンドリソースのキャリアの中心サブキャリアの左側に配置されたすべてのサブバンド（すなわち、周波数が、キャリアの中心サブキャリアの周波数未満である周波数リソース）に、低い周波数から高い周波数まで順に番号付与し、次いで、サブバンドリソースのキャリアの中心サブキャリアの右側に配置されたすべての番号付与されていないサブバンド（すなわち、周波数がキャリアの中心サブキャリアの周波数よりも高い周波数リソース）に、低い周波数から高い周波数まで順に番号付与する。
【０２７４】
別の例では、サブバンドリソースのキャリアの中心サブキャリアの右側に配置されたすべてのサブバンド（すなわち、周波数が、キャリアの中心サブキャリアの周波数よりも高い周波数リソース）に、高い周波数から低い周波数まで順に番号付与し、次いで、サブバンドリソースのキャリアの中心サブキャリアの左側に配置されたすべての番号付与されていないサブバンド（すなわち、周波数がキャリアの中心サブキャリアの周波数未満である周波数リソース）に、高い周波数から低い周波数まで順に番号付与する。
【０２７５】
サブバンド決定方式2：UEは、キャリアの中心サブキャリアの両方の側にあるすべての利用可能なサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。図13（c）に示すように、または図13（d）に示すように、DC0は、キャリアの中心サブキャリアである。図13（c）／図13（d）は、4つのサブバンドを示し、各サブバンドは、6つのRBを含む。同様に、図13（c）では、DC0付近のサブバンドが番号付与を開始される。図13（d）では、DC0から離れたサブバンドが番号付与を開始される。
【０２７６】
さらに場合により、本発明では、図14（a）、図14（b）、図14（c）、および図14（d）に示すように、異なるサブバンドが重複するRBを持つことができる。
【０２７７】
同様に、図14（a）、図14（b）、図14（c）、および図14（d）では、DC0がキャリアの中心サブキャリアであり、各サブバンドは6つのRBを含む。図14（a）は図13（a）に対応し、図14（b）は図13（b）に対応し、図14（c）は図13（c）に対応し、図14（d）は図13（d）に対応する。
【０２７８】
場合により、任意のサブバンド決定方式で、サブバンドのサブバンドリソースがキャリアの中心サブキャリアの2つの側に配置される場合、サブバンドを中心サブバンドと呼ぶ。サブバンドのサブバンドリソースがキャリアの中心サブキャリアの2つの側に配置されていない場合、サブバンドを非中心サブバンドと呼ぶ。中心サブバンドは、第1のサブバンド（すなわち、0の番号を付与）として使用されてもよいし、最後のサブバンドとして番号付与されてもよいし、非中心サブバンドと同じ方法を用いて番号付与されてもよいし、デフォルトサブバンドとして使用されてもよい。デフォルトサブバンドは、0の番号を付与される、またはデフォルトサブバンドは、サブバンドの番号付与に加わらない。
【０２７９】
さらに場合により、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用される。これに伴い、ステップ902において、UEは、サブバンド決定方式とサブバンドインデックスと第4のオフセットパラメータとに従ってサブバンドリソースを決定し得る。あるいは、UEは、サブバンド決定方式とサブバンドインデックスと第4のオフセットパラメータと第5のパラメータとに従ってサブバンドリソースを決定し得る。
【０２８０】
第4のオフセットパラメータは、複数の異なる意味を有することができ、第4のオフセットパラメータの値は、固定値であってもよいし、シグナリングを用いて構成されてもよい。第4のオフセットパラメータは、第4のオフセットとキャリアの中心サブキャリアの中心周波数との間のオフセットを示す、または第4のオフセットとキャリアの中心サブキャリアとの間のオフセットを示す、または第4のオフセットと特定のRBとの間のオフセットを示す、または第4のオフセットサブバンドのオフセットを示す。同様に、第5のオフセットパラメータと第4のオフセットパラメータとは、同じ属性を有するが、使用範囲が異なる。
【０２８１】
本発明の本実施形態では、システム帯域幅に従って第4のオフセットパラメータの固定値を事前に設定し得る。
【０２８２】
例えば、値を決定する方式は、
システム帯域幅が1．4MHzである場合、第4のオフセットは0、および／または
システム帯域幅が3MHzである場合、第4のオフセットは1．5RB、および／または
システム帯域幅が5MHzである場合、第4のオフセットは0．5RB、および／または
システム帯域幅が10MHzである場合、第4のオフセットは1RB、および／または
システム帯域幅が15MHzである場合、第4のオフセットは1．5RB、および／または
システム帯域幅が20MHzである場合、第4のオフセットは2RBである。
【０２８３】
値を決定する別の方式は、
システム帯域幅が1．4MHzである場合、第4のオフセットは0、および／または
システム帯域幅が3MHzである場合、キャリアの中心サブキャリアの左側（または右側）の第4のオフセットは0、かつキャリアの中心サブキャリアの右側（または左側）の第4のオフセットは3RB、および／または
システム帯域幅が5MHzである場合、キャリアの中心サブキャリアの左側（または右側）の第4のオフセットは0、かつキャリアの中心サブキャリアの右側（または左側）の第4のオフセットは1RB、および／または
システム帯域幅が10MHzである場合、キャリアの中心サブキャリアの左側（または右側）の第4のオフセットは0、かつキャリアの中心サブキャリアの右側（または左側）の第4のオフセットは2RB、および／または
システム帯域幅が15MHzである場合、キャリアの中心サブキャリアの左側（または右側）の第4のオフセットは0、かつキャリアの中心サブキャリアの右側（または左側）の第4のオフセットは3RB、および／または
システム帯域幅が20MHzである場合、キャリアの中心サブキャリアの左側（または右側）の第4のオフセットは0、かつキャリアの中心サブキャリアの右側（または左側）の第4のオフセットは4RBである。
【０２８４】
場合により、第4のオフセットによって示される（キャリアの中心サブキャリアの左側と右側とを含む）オフセット範囲内のRBは、いかなるサブバンドにも属さない。
【０２８５】
場合により、第4のオフセットによって示される（キャリアの中心サブキャリアの左側と右側とを含む）オフセット範囲内のRBは、特別なサブバンドを形成し得る（特別なサブバンドに含まれるRBの数は、サブバンドに含まれるRBの数未満である）。
【０２８６】
場合により、第1のシステム帯域幅セットでは、第4のオフセットによって示される（キャリアの中心サブキャリアの左側と右側とを含む）オフセット範囲内のRBは、特別なサブバンドを形成し得る。第2のシステム帯域幅セットでは、第4のオフセットによって示される（キャリアの中心サブキャリアの左側と右側とを含む）オフセット範囲内のRBは、いかなるサブバンドにも属さない。第1のシステム帯域幅セットに含まれる帯域幅は、第2のシステム帯域幅セットに含まれる帯域幅とは異なる。例えば、第1のシステム帯域幅セットは、3MHz、5MHz、10MHz、15MHz、および20MHzシステム帯域幅を含み、第2のシステム帯域幅セットは、1．4MHzのシステム帯域幅を含む。
【０２８７】
システム帯域幅が1．4MHzである場合、特別なサブバンドは存在せず、
システム帯域幅が3MHzである場合、特別なサブバンドは3つのRBを含み、
システム帯域幅が5MHzである場合、特別なサブバンドは1つのRBを含み、
システム帯域幅が10MHzである場合、特別なサブバンドは2つのRBを含み、
システム帯域幅が15MHzである場合、特別なサブバンドは3つのRBを含み、
システム帯域幅が20MHzである場合、特別なサブバンドは4つのRBを含む。
【０２８８】
別の例では、第1のシステム帯域幅セットは、5MHz、10MHz、15MHz、および20MHzのシステム帯域幅を含み、第2のシステム帯域幅セットは、1．4MHzおよび3MHzのシステム帯域幅を含む。
【０２８９】
場合により、第5のオフセットは、0である。決定されたサブバンドが下りリンクサブバンドである場合、第5のオフセットは、0に等しい。決定されたサブバンドが上りリンクサブバンドである場合、第5のオフセットの値は、より上位層のシグナリングを用いて設定される。
【０２９０】
本発明では、オフセットパラメータの値が常に0である場合、そのようなオフセットパラメータが存在しない、または導入（または定義）する必要がないことを示していることに留意すべきである。さらに、本発明では、キャリアが、直流サブキャリアを有する場合、キャリアの中心サブキャリアは、キャリアの直流サブキャリアまたはキャリアの中心周波数である。キャリアが直流サブキャリアを持たない場合、キャリアの中心サブキャリアは、キャリアの中心周波数である。
【０２９１】
図15（a）に示すように、第4のオフセットは、サブバンドとキャリアの中心サブキャリアとの間のオフセットを示す。第5のオフセットは、サブバンドとキャリアにおける特定のRB（例えば、キャリアにおける第1のRBまたは最後のRB）との間のオフセットを示す。
【０２９２】
これに伴い、図15（b）に示すように、第4のオフセットと第5のオフセットとが表す意味は交換可能である。
【０２９３】
図15（c）に示すように、図15（c）は、異なるシステム帯域幅における第4のオフセットパラメータの値を示し、第4のオフセットによって示される（キャリアの中心サブキャリアの左側と右側とを含む）オフセット範囲内のRBは、いかなるサブバンドにも属さない。
【０２９４】
図15（d）に示すように、図15（d）は、異なるシステム帯域幅における第4のオフセットパラメータの値を示し、第4のオフセットによって示される（キャリアの中心サブキャリアの左側と右側とを含む）オフセット範囲内のRBは、1つのサブバンドを形成する。
【０２９５】
図15（e）に示すように、図15（e）は、別の異なるシステム帯域幅における第4のオフセットパラメータの値を示し、第4のオフセットによって示される（キャリアの中心サブキャリアの左側と右側とを含む）オフセット範囲内のRBは、いかなるサブバンドにも属さない。
【０２９６】
さらに場合により、サブバンドリソース情報は、第6のオフセットパラメータをさらに含み、第6のオフセットパラメータは、サブバンドの中心サブキャリアを決定するために使用される。UEによって、サブバンドリソース情報に従ってサブバンドリソースを決定するステップ902は、サブバンドインデックスが第1の閾値よりも大きいおよび／または等しい場合、UEによって、サブバンドリソース情報と第6のオフセットパラメータとに従ってサブバンドリソースを決定するステップ、または
サブバンドインデックスが第1の閾値未満である場合、UEによって、サブバンドリソース情報と第6のオフセットパラメータとに従ってサブバンドリソースを決定するステップ、または
サブバンドインデックスが偶数である場合、UEによって、サブバンドリソース情報と第6のオフセットパラメータとに従ってサブバンドリソースを決定するステップ、または
サブバンドインデックスが奇数である場合、UEによって、サブバンドリソース情報と第6のオフセットパラメータとに従ってサブバンドリソースを決定するステップ
を含む。
【０２９７】
第1の閾値は、mマイナスoffset4であってもよいし、第1の閾値は、mマイナスoffset4マイナスoffset5であってもよく、ただし、m＝floor（A／S）である。ここで、A＝NDLRBであり、NDLRBは、キャリアまたはサブバンドに含まれるRBの数である。あるいは、Aは、予め設定された整数であり、floorは、切り捨て関数であり、Sは、定数またはシグナリングを用いて明示的に設定されるパラメータもしくは暗黙的に取得されるパラメータである。例えば、S＝10である。
【０２９８】
以下、疑似コードを使用して、サブバンドの中心サブキャリアを決定する（またはサブバンドを決定する）ための異なる方法を説明する。
【０２９９】
m＝floor（A／S）と定義する。
【０３００】
NRBSCが、各RBに含まれるサブキャリアの数であると定義する。
【０３０１】
パラメータLを定義し、ここで、パラメータLは、パラメータSまたはNRBSCのうちの1つ以上に関連してもよいし、パラメータSにもNRBSCにも関連しなくてもよい。
【０３０２】
VDC（k）が、サブバンドkの中心サブキャリアのサブキャリアインデックスであると定義する。
【０３０３】
offset4が第4のオフセットパラメータであると定義し、offset5が第5のオフセットパラメータであると定義し、offset6が第6のオフセットパラメータであると定義する。
【０３０４】
kがサブバンドのインデックスであると定義する。
【０３０５】
実施方法1：
k＜＝m−offset4である場合、
VDC（k）＝NDLRB×（NRBSC／2）−（k＋offset4）×Lであり、
そうではない場合、
VDC（k）＝NDLRB×（NRBSC／2）＋（k−m＋2×offset4）×L−offset6である。
【０３０６】
kの値は、1、2、3、．．．、または2m−2×offset4である。
【０３０７】
実施方法2：
k＜＝m−offset4−offset5である場合、
VDC（k）＝NDLRB×（NRBSC／2）−（K＋offset4）×Lであり、
そうではない場合、
VDC（k）＝NDLRB×（NRBSC／2）＋（K−m＋2×offset4＋offset5）×L−offset6である。
【０３０８】
kの値は、1、2、3、．．．、または2m−2×offset4−2×offset5である。
【０３０９】
実施方法3：
k＜＝m−offset4である場合、
VDC（k）＝NDLRB×（NRBSC／2）−（m−K＋1−offset4）×Lであり、
そうではない場合、
VDC（k）＝NDLRB×（NRBSC／2）＋（2m−K＋1−2×offset4）×L−offset6であり、
【０３１０】
kの値は、1、2、3、．．．、または2m−2×offset4である。
【０３１１】
実施方法4：
k＜＝m−offset4−offset5である場合、
VDC（k）＝NDLRB×（NRBSC／2）−（m−k＋1−offset4）×Lであり、
そうではない場合、
VDC（k）＝NDLRB×（NRBSC／2）＋（2m−k＋1−2×offset4−offset5）×L−offset6であり、
【０３１２】
kの値は、1、2、3、．．．、または2m−2×offset4−2×offset5である。
【０３１３】
実施方法5：
k mod 2＝1である場合、
VDC（k）＝NDLRB×（NRBSC／2）−（m−ceil（k／2）＋1−offset4）×Lであり、
k mod 2＝0である場合、
VDC（k）＝NDLRB×（NRBSC／2）＋（m−k／2＋1−offset4）×L−offset6であり、
VDC（k）＝NDLRB×（NRBSC／2）−VDC（k−1）であり、
ただし、modは、モジュロ演算である。
【０３１４】
実施方法6：
k mod 2＝1である場合、
VDC（k）＝NDLRB×（NRBSC／2）−（m−ceil（K／2）＋1−offset4）×Lであり、
k mod 2＝0である場合、
VDC（k）＝NDLRB×（NRBSC／2）＋（m−k／2＋1−offset4）×L−offset6であり、
VDC（k）＝NDLRB×（NRBSC／2）−VDC（k−1）であり、
【０３１５】
kの値は、1、2、3、．．．、または2m−2×offset4−2×offset5である。
【０３１６】
規格またはシステムによって、先述の実施方法のうちの1つ以上の方法を使用して、サブバンドの中心サブキャリアを決定することが指定され得る。例えば、規格は、実施方法3または6を使用して、サブバンドの中心サブキャリアを決定すると指定する。あるいは、UEが、シグナリングを受信することによって、サブバンドの中心サブキャリアを決定するためにどの実施方法を使用するかを決定する。
【０３１７】
さらに場合により、ステップ901において、2つの方式でサブバンドリソース情報を取得する。
【０３１８】
第1の方式：UEは、基地が送信した第2のシグナリングを受信し、第2のシグナリングからサブバンドリソース情報を取得する。
【０３１９】
第2の方式：UEは、予め指定された方式でサブバンドリソース情報を決定する。
【０３２０】
場合により、ステップ903の後、本発明は、別の方向でサブバンドリソースをさらに決定し得る。
【０３２１】
UEは、基地局が送信した第3のシグナリングを受信し、第3のシグナリングは、下りリンクサブバンドリソースと上りリンクサブバンドリソースとの間の複信間隔を示す。
【０３２２】
サブバンドリソースが下りリンクサブバンドリソースである場合、UEは、下りリンクサブバンドリソースと複信間隔とに従って上りリンクサブバンドリソースを決定する。サブバンドリソースが上りリンクサブバンドリソースである場合、UEは、上りリンクサブバンドリソースと複信間隔とに従って下りリンクサブバンドリソースを決定する。ランダムアクセス応答が、メッセージ3の上りリンク伝送のために占有されるサブバンドリソースに関する情報を決定するように指示する場合、UEは、サブバンドリソースに関する情報に従って、メッセージ3の上りリンク伝送のための上りリンクサブバンドリソースを決定し得る。さらに、UEは、上りリンクサブバンドリソースと複信間隔とに従って、競合解消メッセージの伝送（または競合解消メッセージをスケジューリングするための制御チャネル上での伝送）のための下りリンクサブバンドリソースを決定し得る。
【０３２３】
本発明では、UEは、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、UEは、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０３２４】
これに伴い、通信システム、のホットスポット側では、本発明は、サブバンドリソースを決定するための方法をさらに提供し得る。図16に示すように、本方法は、基地局に適用される。方法におけるサブバンドリソースは、サブバンドにおけるリソースである。サブバンドは、帯域幅内にあり、動作帯域幅を有する、周波数リソースである。帯域幅は、下りリンク帯域幅または上りリンク帯域幅である。動作帯域幅は、帯域幅未満である。詳細は以下の通りである
【０３２５】
1601：基地局は、サブバンドリソース情報を取得し、サブバンドリソース情報は、サブバンドリソースを決定するための情報を含む。
【０３２６】
1602：基地局は、サブバンドリソース情報に従ってサブバンドリソースを決定する。
【０３２７】
1603：基地局は、サブバンドリソースに従って、データおよび／または制御情報を送信する。
【０３２８】
本発明は、サブバンドリソースを決定するための方法を提供する。低複雑度UEは、キャリア上の動作帯域幅内のデータだけしか送信または受信できず、また低複雑度UEは、帯域幅内のどの動作帯域幅サイズの帯域幅が、低複雑度UEに関わるデータを送信するために使用される帯域幅であるかを知ることができないために、低複雑度UEと基地局との間の通信が妨げられるという従来技術の課題と比べて、本発明では、基地局が、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、基地局は、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０３２９】
サブバンドリソースはサブバンドである、またはサブバンドリソースは、サブバンドの中心サブキャリアであることに留意すべきである。
【０３３０】
さらに、ステップ1601におけるサブバンドリソース情報は、特定の周波数情報と第1のオフセットパラメータとを含み、特定の周波数情報は、サブバンドの中心サブキャリアを決定するために使用され、第1のオフセットパラメータは、サブバンドの中心サブキャリアのオフセットを決定するために使用され得る。
【０３３１】
あるいは、サブバンドリソース情報は、第1のパラメータと第2のパラメータとを含み、第1のパラメータは、リソースブロックRBにおけるサブバンドの中心サブキャリアの場所を決定するために使用され、第2のパラメータは、サブバンドの中心サブキャリアが配置されるリソースブロックRBを決定するために使用される。
【０３３２】
あるいは、サブバンドリソース情報は、サブバンド決定方式とサブバンドインデックスとを含み、サブバンド決定方式は、帯域幅におけるサブバンドの形成方式を指定し、サブバンドインデックスは、帯域幅におけるサブバンドの番号である。
【０３３３】
特定の周波数情報は、キャリアの中心サブキャリアの中心周波数、キャリアの中心サブキャリア、キャリアの中心サブキャリアのサブキャリアインデックス、キャリアの特定のサブキャリア、キャリアの特定のサブキャリアのインデックス、キャリアにおける特定のリソースブロック、キャリアにおける特定のリソースブロックのインデックス、キャリアにおける特定の周波数、キャリアにおける特定の周波数の場所、またはキャリアにおける特定の周波数リソースのうちの1つ以上である。
【０３３４】
第1のオフセットパラメータは、第1のオフセットのサブキャリアの数、第1のオフセットの周波数の値、または第1のオフセットのリソースブロックの数のうちの1つ以上を示す。
【０３３５】
加えて、特定の周波数情報、第1のオフセットパラメータ、第1のパラメータ、第2のパラメータ、サブバンド決定方式、およびサブバンドインデックスの詳細な説明については、先述の図面（図2〜図15（e））の説明を参照されたく、ここでは細部を一つずつ説明しないことに留意すべきである。
【０３３６】
さらに場合により、帯域幅に含まれるリソースブロックの数が奇数であり、サブバンドリソース情報が特定の周波数情報と第1のオフセットパラメータとを含む場合、サブバンドリソース情報は、第2のオフセットパラメータをさらに含み、第2のオフセットパラメータは、第2のオフセットがNのサブキャリア、またはNのサブキャリアの周波数リソース幅であることを示し、Nは、0以外の整数である。
【０３３７】
基地局によって、サブバンドリソース情報に従ってサブバンドリソースを決定するステップ1602は、基地局によって、特定の周波数情報と第1のオフセットパラメータと第2のオフセットパラメータとに従って、サブバンドリソースを決定するステップを含む。
【０３３８】
さらに場合により、ステップ1602の前に、方法は、基地局によって、特定の周波数情報と第1のオフセットとを用いてサブバンドリソースを決定する第1の特定の方式を示すために使用される第1のシグナリングを生成するステップ、および／または特定の周波数情報と第1のオフセットと第2のオフセットとを用いてサブバンドリソースを決定する第2の特定の方式を示すために使用される第1のシグナリングを生成するステップをさらに含み、第1の特定の方式は、加算方式または減算方式であり、第2の特定の方式は、加算方式または減算方式であり、基地局が、サブバンドリソース情報、第1の特定の方式、および／または第2の特定の方式に従ってサブバンドリソースを決定するようにする。
【０３３９】
加えて、基地局は、第1のシグナリングを生成し、第1のシグナリングは、第1の特定の方式および／または第2の特定の方式を示し、第1のシグナリングをUEに送信するようにさらに構成される。
【０３４０】
さらに場合により、サブバンドリソース情報が第1のパラメータと第2のパラメータとを含む場合、サブバンドリソース情報は、第3のオフセットパラメータをさらに含み、第3のオフセットパラメータは、サブバンドの中心サブキャリアのオフセットを決定するために使用される。ステップ1602は、基地局によって、第1のパラメータと第2のパラメータと第3のオフセットパラメータとに従ってサブバンドリソースを決定するステップを含み得る。
【０３４１】
さらに場合により、サブバンドリソース情報が、サブバンド決定方式とサブバンドインデックスとを含む場合、サブバンド決定方式では、サブバンド決定方式1またはサブバンド決定方式2が使用される。
【０３４２】
サブバンド決定方式1：基地局は、キャリアの中心サブキャリアの一方の側から開始して、サブバンドに番号付与し、キャリアの中心サブキャリアの上記側にあるすべてのサブバンドへの番号付与が完了した後、キャリアの中心サブキャリアの他方の側からサブバンドに番号付与する。
【０３４３】
例えば、サブバンドリソースのキャリアの中心サブキャリアの左側に配置されたすべてのサブバンド（すなわち、周波数が、キャリアの中心サブキャリアの周波数未満である周波数リソース）に、低い周波数から高い周波数まで順に番号付与し、次いで、サブバンドリソースのキャリアの中心サブキャリアの右側に配置されたすべての番号付与されていないサブバンド（すなわち、周波数がキャリアの中心サブキャリアの周波数よりも高い周波数リソース）に、低い周波数から高い周波数まで順に番号付与する。
【０３４４】
別の例では、サブバンドリソースのキャリアの中心サブキャリアの右側に配置されたすべてのサブバンド（すなわち、周波数が、キャリアの中心サブキャリアの周波数よりも高い周波数リソース）に、高い周波数から低い周波数まで順に番号付与し、次いで、サブバンドリソースのキャリアの中心サブキャリアの左側に配置されたすべての番号付与されていないサブバンド（すなわち、周波数がキャリアの中心サブキャリアの周波数未満である周波数リソース）に、高い周波数から低い周波数まで順に番号付与する。
【０３４５】
サブバンド決定方式2：基地局は、キャリアの中心サブキャリアの両方の側にあるすべてのサブバンドへの番号付与が完了するまで、キャリアの中心サブキャリアの一方の側から開始して、サブバンドに番号付与し、1つのサブバンドへの番号付与が完了した後、キャリアの中心サブキャリアの他方の側からサブバンドに番号付与し、1つのサブバンドへの番号付与が完了した後、キャリアの中心サブキャリアの上記側に戻り、上記側の残りのサブバンドに番号付与し、1つのサブバンドへの番号付与が完了した後、キャリアの中心サブキャリアの他方の側に戻り、他方の側の残りのサブバンドに番号付与する。
【０３４６】
場合により、任意のサブバンド決定方式で、サブバンドのサブバンドリソースがキャリアの中心サブキャリアの2つの側に配置される場合、サブバンドを中心サブバンドと呼ぶ。サブバンドのサブバンドリソースがキャリアの中心サブキャリアの2つの側に配置されていない場合、サブバンドを非中心サブバンドと呼ぶ。中心サブバンドは、第1のサブバンド（すなわち、0の番号を付与）として使用されてもよいし、最後のサブバンドとして番号付与されてもよいし、非中心サブバンドと同じ方法を用いて番号付与されてもよいし、デフォルトサブバンドとして使用されてもよい。デフォルトサブバンドは、0の番号を付与される、またはデフォルトサブバンドは、サブバンドの番号付与に加わらない。
【０３４７】
さらに場合により、サブバンドリソース情報が、サブバンド決定方式とサブバンドインデックスとを含む場合、サブバンドリソース情報は、第4のオフセットパラメータおよび／または第5のオフセットパラメータをさらに含み、第4のオフセットパラメータは、サブバンドのオフセットを決定するために使用され、第5のオフセットパラメータは、サブバンドのオフセットを決定するために使用される。
【０３４８】
ステップ1602は、基地局によって、サブバンド決定方式とサブバンドインデックスと第4のオフセットパラメータとに従ってサブバンドリソースを決定するステップ、または基地局によって、サブバンド決定方式とサブバンドインデックスと第5のオフセットパラメータとに従ってサブバンドリソースを決定するステップ、または基地局によって、サブバンド決定方式とサブバンドインデックスと第4のオフセットパラメータと第5のオフセットパラメータとに従ってサブバンドリソースを決定するステップを含む。
【０３４９】
本発明の本実施形態では、システム帯域幅に従って第4のオフセットパラメータの固定値を事前に設定し得る。
【０３５０】
例えば、値を決定する方式は、
システム帯域幅が1．4MHzである場合、第4のオフセットは0、および／または
システム帯域幅が3MHzである場合、第4のオフセットは1．5RB、および／または
システム帯域幅が5MHzである場合、第4のオフセットは0．5RB、および／または
システム帯域幅が10MHzである場合、第4のオフセットは1RB、および／または
システム帯域幅が15MHzである場合、第4のオフセットは1．5RB、および／または
システム帯域幅が20MHzである場合、第4のオフセットは2RBである。
【０３５１】
値を決定する別の方式は、
システム帯域幅が1．4MHzである場合、第4のオフセットは0、および／または
システム帯域幅が3MHzである場合、キャリアの中心サブキャリアの左側（または右側）の第4のオフセットは0、かつキャリアの中心サブキャリアの右側（または左側）の第4のオフセットは3RB、および／または
システム帯域幅が5MHzである場合、キャリアの中心サブキャリアの左側（または右側）の第4のオフセットは0、かつキャリアの中心サブキャリアの右側（または左側）の第4のオフセットは1RB、および／または
システム帯域幅が10MHzである場合、キャリアの中心サブキャリアの左側（または右側）の第4のオフセットは0、かつキャリアの中心サブキャリアの右側（または左側）の第4のオフセットは2RB、および／または
システム帯域幅が15MHzである場合、キャリアの中心サブキャリアの左側（または右側）の第4のオフセットは0、かつキャリアの中心サブキャリアの右側（または左側）の第4のオフセットは3RB、および／または
システム帯域幅が20MHzである場合、キャリアの中心サブキャリアの左側（または右側）の第4のオフセットは0、かつキャリアの中心サブキャリアの右側（または左側）の第4のオフセットは4RBである。
【０３５２】
場合により、第4のオフセットによって示される（キャリアの中心サブキャリアの左側と右側とを含む）オフセット範囲内のRBは、いかなるサブバンドにも属さない。
【０３５３】
場合により、第4のオフセットによって示される（キャリアの中心サブキャリアの左側と右側とを含む）オフセット範囲内のRBは、特別なサブバンドを形成し得る（特別なサブバンドに含まれるRBの数は、サブバンドに含まれるRBの数未満である）。
【０３５４】
場合により、第1のシステム帯域幅セットでは、第4のオフセットによって示される（キャリアの中心サブキャリアの左側と右側とを含む）オフセット範囲内のRBは、特別なサブバンドを形成し得る。第2のシステム帯域幅セットでは、第4のオフセットによって示される（キャリアの中心サブキャリアの左側と右側とを含む）オフセット範囲内のRBは、いかなるサブバンドにも属さない。第1のシステム帯域幅セットに含まれる帯域幅は、第2のシステム帯域幅セットに含まれる帯域幅とは異なる。例えば、第1のシステム帯域幅セットは、3MHz、5MHz、10MHz、15MHz、および20MHzシステム帯域幅を含み、第2のシステム帯域幅セットは、1．4MHzのシステム帯域幅を含む。
【０３５５】
システム帯域幅が1．4MHzである場合、特別なサブバンドは存在せず、
システム帯域幅が3MHzである場合、特別なサブバンドは3つのRBを含み、
システム帯域幅が5MHzである場合、特別なサブバンドは1つのRBを含み、
システム帯域幅が10MHzである場合、特別なサブバンドは2つのRBを含み、
システム帯域幅が15MHzである場合、特別なサブバンドは3つのRBを含み、
システム帯域幅が20MHzである場合、特別なサブバンドは4つのRBを含む。
【０３５６】
別の例では、第1のシステム帯域幅セットは、5MHz、10MHz、15MHz、および20MHzのシステム帯域幅を含み、第2のシステム帯域幅セットは、1．4MHzおよび3MHzのシステム帯域幅を含む。
【０３５７】
場合により、第5のオフセットは、0である。決定されたサブバンドが下りリンクサブバンドである場合、第5のオフセットは、0に等しい。決定されたサブバンドが上りリンクサブバンドである場合、第5のオフセットの値は、より上位層のシグナリングを用いて設定される。
【０３５８】
本発明では、オフセットパラメータの値が常に0である場合、そのようなオフセットパラメータが存在しない、または導入（または定義）する必要がないことを示していることに留意すべきである。さらに、本発明では、キャリアが、直流サブキャリアを有する場合、キャリアの中心サブキャリアは、キャリアの直流サブキャリアまたはキャリアの中心周波数である。キャリアが直流サブキャリアを持たない場合、キャリアの中心サブキャリアは、キャリアの中心周波数である。
【０３５９】
さらに場合により、サブバンドリソース情報が、サブバンド決定方式とサブバンドインデックスとを含む場合、サブバンドリソース情報は、第6のオフセットパラメータをさらに含み、第6のオフセットパラメータは、サブバンドの中心サブキャリアを決定するために使用され、ステップ1602は、
サブバンドインデックスが第1の閾値よりも大きいおよび／または等しい場合、基地局によって、サブバンドリソース情報と第6のオフセットパラメータとに従ってサブバンドリソースを決定するステップ、または
サブバンドインデックスが第1の閾値未満である場合、基地局によって、サブバンドリソース情報と第6のオフセットパラメータとに従ってサブバンドリソースを決定するステップ、または
サブバンドインデックスが偶数である場合、基地局によって、サブバンドリソース情報と第6のオフセットパラメータとに従ってサブバンドリソースを決定するステップ、または
サブバンドインデックスが奇数である場合、基地局によって、サブバンドリソース情報と第6のオフセットパラメータとに従ってサブバンドリソースを決定するステップ
を含む。
【０３６０】
さらに場合により、サブバンドリソースはサブバンドであり、サブバンドが2M＋2個のサブキャリアを含む場合、サブバンドの1つのサブキャリアをサブバンドの中心サブキャリアとして使用する例を用いると、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいM＋1のサブキャリア、またはサブバンドの中心サブキャリア、周波数がサブバンドの中心サブキャリアの周波数未満であるM＋1のサブキャリア、および周波数がサブバンドの中心サブキャリアの周波数よりも大きいMのサブキャリアを含む。
【０３６１】
サブバンドの2つのサブキャリアをサブバンドの中心サブキャリアとして使用する例を用いると、サブバンドリソースは、サブバンドの中心サブキャリア、周波数がサブバンドの中心サブキャリアの周波数未満であるMのサブキャリア、および周波数がサブバンドの中心サブキャリアの周波数よりも大きいMのサブキャリアを含む。
【０３６２】
さらに場合により、ステップ1601において、基地局によって、サブバンドリソース情報を取得する方式は、以下を含む。
【０３６３】
第1の方式：基地局は、サブバンドリソース情報を生成する。第2の方式：基地局は、予め指定された方式でサブバンドリソース情報を決定する。これに伴い、基地局がサブバンドリソース情報を取得した後、基地局は、サブバンドリソース情報を運ぶ第2のシグナリングをUEに送信する。
【０３６４】
さらに場合により、基地局がサブバンドリソース情報に従ってサブバンドリソースを決定した後、方法は、
基地局によって、下りリンクサブバンドリソースと上りリンクサブバンドリソースとの間の複信間隔を決定するステップと、
複信間隔を運ぶ第3のシグナリングをUEに送信するステップと、
サブバンドリソースが下りリンクサブバンドリソースである場合、基地局によって、下りリンクサブバンドリソースと複信間隔とに従って上りリンクサブバンドリソースを決定するステップ、または
サブバンドリソースが上りリンクサブバンドリソースである場合、基地局によって、下りリンクサブバンドリソースと複信間隔とに従って下りリンクサブバンドリソースを決定するステップと、
をさらに含む。
【０３６５】
本発明では、基地局は、サブバンドリソース情報を取得して、サブバンドリソースを決定し、その結果、サブバンドリソースに従ってデータおよび／または制御情報を送信できる。この場合、動作帯域幅がキャリア帯域幅未満である場合に、基地局は、サブバンドリソースを用いて、帯域幅における特定の周波数帯域幅サイズの帯域幅がUEに関わるデータを送信または受信するための帯域幅であると決定でき、その結果、UEのコストまたはUEの複雑度を低減しながらユーザ機器が基地局と通信できる。
【０３６６】
説明を簡便にする目的で上記機能モジュールの分割のみが説明のための例として使用されていることが、当業者には明確に理解されよう。実際の適用においては、要求に応じて実装するために、上記各機能は、異なる機能モジュールに割り当てられる、すなわち、装置の内部構造が上記の各機能の全部または一部を実装するための異なる機能モジュールに分割される。上記システム、装置、およびユニットの詳細な動作プロセスについては、上記方法実施形態における対応するプロセスを参照されたく、ここでは細部を説明しない。
【０３６７】
本出願において提供されるいくつかの実施形態においては、開示のシステム、装置、および方法を他の方式で実装することもできることを理解されたい。例えば、説明された装置実施形態は単なる例示にすぎない。例えば、モジュールまたはユニットの分割は単なる論理的機能分割に過ぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示された、または論じられた相互結合または直接結合または通信接続を、いくつかのインターフェースを通じて実現することもできる。装置間またはユニット間の間接結合または通信接続は、電気的形態、機械的形態、または他の形態として実現することができる。
【０３６８】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０３６９】
加えて、本発明の実施形態における機能ユニットが1つの処理ユニットへ統合される場合もあり、ユニットのそれぞれが物理的に独立して存在する場合もあり、または2つ以上のユニットが1つのユニットへ統合される場合もある。統合ユニットはハードウェアの形態で実現することもでき、ソフトウェア機能ユニットの形態で実現することもできる。
【０３７０】
統合ユニットがソフトウェア機能ユニットの形態で実現され、独立した製品として販売される場合、統合ユニットは、コンピュータ可読記憶媒体に記憶することができる。そうした理解に基づき、本発明の技術解決策を本質的に、または従来技術に寄与する部分を、または技術的な解決策のすべてまたは一部を、ソフトウェア製品の形態で実現することができる。ソフトウェア製品は記憶媒体に記憶されており、（パーソナルコンピュータ、サーバ、もしくはネットワーク機器などとすることができる）コンピュータデバイスまたはプロセッサ（processor）に、本発明の各実施形態で記述されている方法のステップの全部または一部を実行するよう命令するためのいくつかの命令を含む。上記記憶媒体は、USBフラッシュドライブ、取り外し可能ハードディスク、読取り専用メモリ（ROM、Read−Only Memory）、ランダムアクセスメモリ（RAM、Random Access Memory）、磁気ディスク、光ディスクといった、プログラムコードを記憶することができる任意の媒体を含む。
【０３７１】
上記の説明は、単に本発明の具体的な実施方式に過ぎず、本発明の保護範囲を限定することを意図するものではない。本発明において開示された技術的範囲内にあり、当業者によって容易に想到される、あらゆる変形や置き換えは、本発明の保護範囲内に含まれるものとする。したがって、本発明の保護範囲は、特許請求の範囲の保護範囲に属する。
【符号の説明】
【０３７２】
20  装置
40  装置
50  装置
60  装置
201  取得モジュール
202  決定モジュール
203  伝送モジュール
204  受信モジュール
205  番号付与モジュール
501  取得モジュール
502  決定モジュール
503  伝送モジュール
504  生成モジュール
505  送信モジュール
506  番号付与モジュール
701  メモリ
702  プロセッサ
703  送受信機
801  メモリ
802  プロセッサ
803  送受信機
2011  受信ユニット
2012  決定ユニット
5011  生成ユニット
5012  決定ユニット
【図１】
0006504482.tif 000002
【図２】
0006504482.tif 000003
【図３（ａ）】
0006504482.tif 000004
【図３（ｂ）】
0006504482.tif 000005
【図４】
0006504482.tif 000006
【図５】
0006504482.tif 000007
【図６】
0006504482.tif 000008
【図７】
0006504482.tif 000009
【図８】
0006504482.tif 000010
【図９】
0006504482.tif 000011
【図１０（ａ）】
0006504482.tif 000012
【図１０（ｂ）】
0006504482.tif 000013
【図１１（ａ）】
0006504482.tif 000014
【図１１（ｂ）】
0006504482.tif 000015
【図１１（ｃ）】
0006504482.tif 000016
【図１２】
0006504482.tif 000017
【図１３（ａ）】
0006504482.tif 000018
【図１３（ｂ）】
0006504482.tif 000019
【図１３（ｃ）】
0006504482.tif 000020
【図１３（ｄ）】
0006504482.tif 000021
【図１４（ａ）】
0006504482.tif 000022
【図１４（ｂ）】
0006504482.tif 000023
【図１４（ｃ）】
0006504482.tif 000024
【図１４（ｄ）】
0006504482.tif 000025
【図１５（ａ）】
0006504482.tif 000026
【図１５（ｂ）】
0006504482.tif 000027
【図１５（ｃ）】
0006504482.tif 000028
【図１５（ｄ）】
0006504482.tif 000029
【図１５（ｅ）】
0006504482.tif 000030
【図１６】
0006504482.tif 000031